(57)【要約】  直交周波数分割多重で伝送された信号の受信にあたり、所望の周波数に周波数変換した受信信号をフーリエ変換し（１）、サブキャリア周波数がサブキャリア間隔の偶数倍のサブキャリア成分（Ｄ２）と奇数倍のサブキャリア成分（Ｄ４）に分離し、それぞれを逆フーリエ変換（３、５）した信号の前半部分（Ｄ３ｐ、Ｄ５ｐ）と後半部分（Ｄ３ｑ、Ｄ５ｑ）の電力の大きさをもとにインパルス雑音成分の位置を判定し、インパルス雑音の影響が小さい方の信号を用いて偶数番目のサブキャリア成分の時間ドメイン信号(Ｄ)及び奇数番目のサブキャリア成分の時間ドメイン信号（Ｄ）を再構成した後、それらを加算し（１０）、再度フーリエ変換して（１１）復調する（１２）。インパルス雑音の影響を軽減して受信性能を向上させることができる。
2013080578.tif 000002
【特許請求の範囲】
【請求項１】
周波数分割多重信号を受信し、送信データを再生する受信装置であって、
受信信号を所望の周波数に周波数変換することで得られる時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分を抽出する偶数番目サブキャリア抽出部と、
上記偶数番目サブキャリア抽出部の出力を逆フーリエ変換して時間ドメインのシンボル毎の信号を出力する第１の逆フーリエ変換部と、
上記第１の逆フーリエ変換部から出力される各シンボルの信号の前半部分及び後半部分の電力を比較して比較結果を出力する第１の前後半電力比較部と、
上記第１の前後半電力比較部の出力をもとに上記第１の逆フーリエ変換部から出力されるシンボル毎の信号に含まれるインパルス雑音成分を除去又は抑圧し、雑音成分除去後の信号を出力する第１のインパルス雑音除去部と、
上記フーリエ変換部の出力のうち、サブキャリア周波数がサブキャリア間隔の奇数倍のサブキャリア成分を抽出する奇数番目サブキャリア抽出部と、
上記奇数番目サブキャリア抽出部の出力を逆フーリエ変換して時間ドメインのシンボル毎の信号を出力する第２の逆フーリエ変換部と、
上記第２の逆フーリエ変換部から出力される各シンボルの信号の前半部分及び後半部分の電力を比較して比較結果を出力する第２の前後半電力比較部と、
上記第２の前後半電力比較部の出力をもとに上記第２の逆フーリエ変換部から出力される上記シンボル毎の信号に含まれるインパルス雑音成分を除去又は抑圧し、雑音成分除去後の信号を出力する第２のインパルス雑音除去部と、
上記第１のインパルス雑音除去部の出力と上記第２のインパルス雑音除去部の出力を加算して加算結果を出力する信号成分加算部と、
上記信号成分加算部の出力をフーリエ変換して周波数ドメインの信号を出力する再フーリエ変換部と、
上記再フーリエ変換部の出力から復調信号を生成する等化部と
を備えたことを特徴とする受信装置。
【請求項２】
上記第１のインパルス雑音除去部は、
上記第１の逆フーリエ変換部から出力される上記各シンボルの信号の前半部分を抽出する第１の前半信号抽出部と、
上記第１の逆フーリエ変換部から出力される上記各シンボルの信号の後半部分を抽出する第１の後半信号抽出部と、
上記第１の前半信号抽出部の出力、及び上記第１の後半信号抽出部の出力のいずれかを上記第１の前後半電力比較部の出力に応じて選択し、選択した信号をもとにインパルス雑音成分を除去または抑圧した信号を生成する第１の繰り返し信号生成部を含み、
上記第２のインパルス雑音除去部は、
上記第２の逆フーリエ変換部から出力される上記各シンボルの信号の前半部分を抽出する第２の前半信号抽出部と、
上記第２の逆フーリエ変換部から出力される上記各シンボルの信号の後半部分を抽出する第２の後半信号抽出部と、
上記第２の前半信号抽出部の出力、及び上記第２の後半信号抽出部の出力のいずれかを上記第２の前後半電力比較部の出力に応じて選択し、選択した信号をもとにインパルス雑音成分を除去または抑圧した信号を生成する第２の繰り返し信号生成部を含んでいる
ことを特徴とする請求項１に記載の受信装置。
【請求項３】
上記第１の繰り返し信号生成部は、
上記第１の前後半電力比較部の出力が、上記第１の逆フーリエ変換部から出力される上記各シンボルの信号の前半部分の方が後半部分よりも電力が大きいことを示す場合には、上記第１の後半信号抽出部の出力を２回繰り返して出力し、
上記第１の前後半電力比較部の出力が、上記第１の逆フーリエ変換部から出力される上記各シンボルの信号の後半部分の方が前半部分よりも電力が大きいことを示す場合には、上記第１の前半信号抽出部の出力を２回繰り返して出力し、
上記第２の繰り返し信号生成部は、
上記第２の前後半電力比較部の出力が、上記第２の逆フーリエ変換部から出力される上記各シンボルの信号の前半部分の方が後半部分よりも電力が大きいことを示す場合には、上記第２の後半信号抽出部の出力の極性を反転した信号を１回目に、これに続いて上記第２の後半信号抽出部の出力を２回目に出力し、
上記第２の前後半電力比較部の出力が、上記第２の逆フーリエ変換部から出力される上記各シンボルの信号の後半部分の方が前半部分よりも電力が大きいことを示す場合には、上記第１の前半信号抽出部の出力を１回目に、これに続いて上記第１の前半信号抽出部の出力の極性を反転した信号を２回目に出力する
ことを特徴とする請求項２に記載の受信装置。
【請求項４】
周波数分割多重信号を受信し、送信データを再生する受信装置であって、
受信信号を所望の周波数に周波数変換することで得られる時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分を抽出する偶数番目サブキャリア抽出部と、
上記偶数番目サブキャリア抽出部の出力を逆フーリエ変換して時間ドメインのシンボル毎の信号を出力する第１の逆フーリエ変換部と、
上記第１の逆フーリエ変換部から出力される各シンボルの信号の前半部分及び後半部分の電力を比較して比較結果を出力する第１の前後半電力比較部と、
上記第１の前後半電力比較部の出力をもとに上記第１の逆フーリエ変換部から出力される上記各シンボルの信号の前半部分と後半部分の差を求めて、半シンボル長の差信号を生成する前後半減算部と、
上記フーリエ変換部の出力のうち、サブキャリア周波数がサブキャリア間隔の奇数倍のサブキャリア成分を抽出する奇数番目サブキャリア抽出部と、
上記奇数番目サブキャリア抽出部の出力を逆フーリエ変換して時間ドメインのシンボル毎の信号を出力する第２の逆フーリエ変換部と、
上記第２の逆フーリエ変換部から出力される各シンボルの信号の前半部分及び後半部分の電力を比較して比較結果を出力する第２の前後半電力比較部と、
上記第２の逆フーリエ変換部から出力されるシンボル毎の信号の前半部分と後半部分を加算して、半シンボル長の和信号を生成する前後半加算部と、
上記前後半減算部の出力と上記前後半加算部の出力を加算して加算結果を出力するインパルス雑音成分加算部と、
上記第１の前後半電力比較部の出力、上記第２の前後半電力比較部の出力及び上記インパルス雑音成分加算部の出力をもとにインパルス雑音成分を生成するインパルス雑音成分生成部と、
上記フーリエ変換部の出力を遅延させて、上記インパルス雑音成分生成部からの上記インパルス雑音成分の出力と同期させる遅延調整部と、
上記遅延調整部の出力と上記インパルス雑音生成部から出力される上記インパルス成分雑音成分又はこれに基づいて生成された信号から、インパルス雑音成分を除去した時間ドメイン信号を生成するインパルス雑音抑圧部と、
上記インパルス雑音抑圧部の出力をフーリエ変換して周波数ドメインの信号を出力する再フーリエ変換部と、
上記再フーリエ変換部の出力から復調信号を生成する等化部と
を備えたことを特徴とする受信装置。
【請求項５】
上記前後半減算部は、
上記第１の前後半電力比較部の出力が、上記第１の逆フーリエ変換部から出力される各シンボルの信号の前半部分の方が後半部分よりも電力が大きいことを示す場合には、該前半部分から該後半部分を減算して上記差信号を出力し、
そうでない場合は該後半部分から該前半部分を減算して上記差信号を生成する
ことを特徴とする請求項４に記載の受信装置。
【請求項６】
上記インパルス雑音成分生成部は、
上記インパルス雑音成分加算部の出力から１シンボル長の信号を生成するものであり、
上記第１の前後半電力比較部の出力が、上記第１の逆フーリエ変換部から出力される各シンボルの信号の前半部分の方が後半部分よりも電力が大きいとの判定結果を示し、かつ上記第２の前後半電力比較部の出力が、上記第２の逆フーリエ変換部から出力される各シンボルの信号の前半部分の方が後半部分よりも電力が大きいとの判定結果を示している場合には、前半部分として上記インパルス雑音成分加算部の出力を、後半部分として０を出力し、
上記第１の前後半電力比較部の出力が、上記第１の逆フーリエ変換部から出力される各シンボルの信号の後半部分の方が前半部分よりも電力が大きいとの判定結果を示し、かつ上記第２の前後半電力比較部の出力が、上記第２の逆フーリエ変換部から出力される各シンボルの信号の後半部分の方が前半部分よりも電力が大きいとの判定結果を示している場合には、前半部分として０を、後半部分として上記インパルス雑音成分加算部の出力を出力する
ことを特徴とする請求項５に記載の受信装置。
【請求項７】
上記インパルス雑音成分生成部は、
上記第１の前後半電力比較部の出力が、上記第１の逆フーリエ変換部から出力される各シンボルの信号の前半部分の方が後半部分よりも電力が大きいとの判定結果を示し、かつ上記第２の前後半電力比較部の出力が、上記第２の逆フーリエ変換部から出力される各シンボルの信号の前半部分の方が後半部分よりも電力が小さいとの判定結果を示している場合、又は上記第１の前後半電力比較部の出力が、上記第１の逆フーリエ変換部から出力される各シンボルの信号の前半部分の方が後半部分よりも電力が小さいとの判定結果を示し、かつ上記第２の前後半電力比較部の出力が、上記第２の逆フーリエ変換部から出力される各シンボルの信号の前半部分の方が後半部分よりも電力が大きいとの判定結果を示している場合には、
前半部分及び後半部分を共に０とした１シンボル長の信号を出力する。
ことを特徴とする請求項５に記載の受信装置。
【請求項８】
上記インパルス雑音成分生成部の出力及び外部から入力される判定閾値を入力とし、上記インパルス雑音成分生成部の出力が上記判定閾値よりも小さい場合は前半部分及び後半部分の出力を共に０にした信号を上記インパルス雑音抑圧部に出力するインパルス雑音判定部をさらに備え、
上記インパルス雑音抑圧部は、上記遅延調整部の出力と上記インパルス雑音判定部の出力から、上記インパルス雑音成分を除去した時間ドメイン信号を生成する
ことを特徴とする請求項５に記載の受信装置。
【請求項９】
周波数分割多重信号を受信し、送信データを再生する受信方法であって、
受信信号を所望の周波数に周波数変換することで得られる時間ドメイン信号をフーリエ変換して周波数ドメインの信号を出力するフーリエ変換ステップと、
上記フーリエ変換ステップの出力のうち、サブキャリア周波数がサブキャリア間隔の偶数倍のサブキャリア成分を抽出する偶数番目サブキャリア抽出ステップと、
上記偶数番目サブキャリア抽出ステップの出力を逆フーリエ変換して時間ドメインのシンボル毎の信号を出力する第１の逆フーリエ変換ステップと、
上記第１の逆フーリエ変換ステップから出力される各シンボルの信号の前半部分及び後半部分の電力を比較して比較結果を出力する第１の前後半電力比較ステップと、
上記第１の前後半電力比較ステップの出力をもとに上記第１の逆フーリエ変換ステップから出力されるシンボル毎の信号に含まれるインパルス雑音成分を除去又は抑圧し、雑音成分除去後の信号を出力する第１のインパルス雑音除去ステップと、
上記フーリエ変換ステップの出力のうち、サブキャリア周波数がサブキャリア間隔の奇数倍のサブキャリア成分を抽出する奇数番目サブキャリア抽出ステップと、
上記奇数番目サブキャリア抽出ステップの出力を逆フーリエ変換して時間ドメインのシンボル毎の信号を出力する第２の逆フーリエ変換ステップと、
上記第２の逆フーリエ変換ステップから出力される各シンボルの信号の前半部分及び後半部分の電力を比較して比較結果を出力する第２の前後半電力比較ステップと、
上記第２の前後半電力比較ステップの出力をもとに上記第２の逆フーリエ変換ステップから出力される上記シンボル毎の信号に含まれるインパルス雑音成分を除去又は抑圧し、雑音成分除去後の信号を出力する第２のインパルス雑音除去ステップと、
上記第１のインパルス雑音除去ステップの出力と上記第２のインパルス雑音除去ステップの出力を加算して加算結果を出力する信号成分加算ステップと、
上記信号成分加算ステップの出力をフーリエ変換して周波数ドメインの信号を出力する再フーリエ変換ステップと、
上記再フーリエ変換ステップの出力から復調信号を生成する等化ステップと
を備えたことを特徴とする受信方法。
【請求項１０】
上記第１のインパルス雑音除去ステップは、
上記第１の逆フーリエ変換ステップから出力される上記各シンボルの信号の前半部分を抽出する第１の前半信号抽出ステップと、
上記第１の逆フーリエ変換ステップから出力される上記各シンボルの信号の後半部分を抽出する第１の後半信号抽出ステップと、
上記第１の前半信号抽出ステップの出力、及び上記第１の後半信号抽出ステップの出力のいずれかを上記第１の前後半電力比較ステップの出力に応じて選択し、選択した信号をもとにインパルス雑音成分を除去または抑圧した信号を生成する第１の繰り返し信号生成ステップを含み、
上記第２のインパルス雑音除去ステップは、
上記第２の逆フーリエ変換ステップから出力される上記各シンボルの信号の前半部分を抽出する第２の前半信号抽出ステップと、
上記第２の逆フーリエ変換ステップから出力される上記各シンボルの信号の後半部分を抽出する第２の後半信号抽出ステップと、
上記第２の前半信号抽出ステップの出力、及び上記第２の後半信号抽出ステップの出力のいずれかを上記第２の前後半電力比較ステップの出力に応じて選択し、選択した信号をもとにインパルス雑音成分を除去または抑圧した信号を生成する第２の繰り返し信号生成ステップを含んでいる
ことを特徴とする請求項９に記載の受信方法。
【請求項１１】
上記第１の繰り返し信号生成ステップは、
上記第１の前後半電力比較ステップの出力が、上記第１の逆フーリエ変換ステップから出力される上記各シンボルの信号の前半部分の方が後半部分よりも電力が大きいことを示す場合には、上記第１の後半信号抽出ステップの出力を２回繰り返して出力し、
上記第１の前後半電力比較ステップの出力が、上記第１の逆フーリエ変換ステップから出力される上記各シンボルの信号の後半部分の方が前半部分よりも電力が大きいことを示す場合には、上記第１の前半信号抽出ステップの出力を２回繰り返して出力し、
上記第２の繰り返し信号生成ステップは、
上記第２の前後半電力比較ステップの出力が、上記第２の逆フーリエ変換ステップから出力される上記各シンボルの信号の前半部分の方が後半部分よりも電力が大きいことを示す場合には、上記第２の後半信号抽出ステップの出力の極性を反転した信号を１回目に、これに続いて上記第２の後半信号抽出ステップの出力を２回目に出力し、
上記第２の前後半電力比較ステップの出力が、
上記第２の逆フーリエ変換ステップから出力される上記各シンボルの信号の後半部分の方が前半部分よりも電力が大きいことを示す場合には、上記第１の前半信号抽出ステップの出力を１回目に、これに続いて上記第１の前半信号抽出ステップの出力の極性を反転した信号を２回目に出力する
ことを特徴とする請求項１０に記載の受信方法。
【請求項１２】
周波数分割多重信号を受信し、送信データを再生する受信方法であって、
受信信号を所望の周波数に周波数変換することで得られる時間ドメイン信号をフーリエ変換して周波数ドメインの信号を出力するフーリエ変換ステップと、
上記フーリエ変換ステップの出力のうち、サブキャリア周波数がサブキャリア間隔の偶数倍のサブキャリア成分を抽出する偶数番目サブキャリア抽出ステップと、
上記偶数番目サブキャリア抽出ステップの出力を逆フーリエ変換して時間ドメインのシンボル毎の信号を出力する第１の逆フーリエ変換ステップと、
上記第１の逆フーリエ変換ステップから出力される各シンボルの信号の前半部分及び後半部分の電力を比較して比較結果を出力する第１の前後半電力比較ステップと、
上記第１の前後半電力比較ステップの出力をもとに上記第１の逆フーリエ変換ステップから出力される上記各シンボルの信号の前半部分と後半部分の差を求めて、半シンボル長の差信号を生成する前後半減算ステップと、
上記フーリエ変換ステップの出力のうち、サブキャリア周波数がサブキャリア間隔の奇数倍のサブキャリア成分を抽出する奇数番目サブキャリア抽出ステップと、
上記奇数番目サブキャリア抽出ステップの出力を逆フーリエ変換して時間ドメインのシンボル毎の信号を出力する第２の逆フーリエ変換ステップと、
上記第２の逆フーリエ変換ステップから出力される各シンボルの信号の前半部分及び後半部分の電力を比較して比較結果を出力する第２の前後半電力比較ステップと、
上記第２の逆フーリエ変換ステップから出力されるシンボル毎の信号の前半部分と後半部分を加算して、半シンボル長の和信号を生成する前後半加算ステップと、
上記前後半減算ステップの出力と上記前後半加算ステップの出力を加算して加算結果を出力するインパルス雑音成分加算ステップと、
上記第１の前後半電力比較ステップの出力、上記第２の前後半電力比較ステップの出力及び上記インパルス雑音成分加算ステップの出力をもとにインパルス雑音成分を生成するインパルス雑音成分生成ステップと、
上記フーリエ変換ステップの出力を遅延させて、上記インパルス雑音成分生成ステップからの上記インパルス雑音成分の出力と同期させる遅延調整ステップと、
上記遅延調整ステップの出力と上記インパルス雑音生成ステップから出力される上記インパルス成分雑音成分又はこれに基づいて生成された信号から、インパルス雑音成分を除去した時間ドメイン信号を生成するインパルス雑音抑圧ステップと、
上記インパルス雑音抑圧ステップの出力をフーリエ変換して周波数ドメインの信号を出力する再フーリエ変換ステップと、
上記再フーリエ変換ステップの出力から復調信号を生成する等化ステップと
を備えたことを特徴とする受信方法。
【請求項１３】
上記前後半減算ステップは、
上記第１の前後半電力比較ステップの出力が、上記第１の逆フーリエ変換ステップから出力される各シンボルの信号の前半部分の方が後半部分よりも電力が大きいことを示す場合には、該前半部分から該後半部分を減算して上記差信号を出力し、
そうでない場合は該後半部分から該前半部分を減算して上記差信号を生成する
ことを特徴とする請求項１２に記載の受信方法。
【請求項１４】
上記インパルス雑音成分生成ステップは、
上記インパルス雑音成分加算ステップの出力から１シンボル長の信号を生成するものであり、
上記第１の前後半電力比較ステップの出力が、上記第１の逆フーリエ変換ステップから出力される各シンボルの信号の前半部分の方が後半部分よりも電力が大きいとの判定結果を示し、かつ上記第２の前後半電力比較ステップの出力が、上記第２の逆フーリエ変換ステップから出力される各シンボルの信号の前半部分の方が後半部分よりも電力が大きいとの判定結果を示している場合には、前半部分として上記インパルス雑音成分加算ステップの出力を、後半部分として０を出力し、
上記第１の前後半電力比較ステップの出力が、上記第１の逆フーリエ変換ステップから出力される各シンボルの信号の後半部分の方が前半部分よりも電力が大きいとの判定結果を示し、かつ上記第２の前後半電力比較ステップの出力が、上記第２の逆フーリエ変換ステップから出力される各シンボルの信号の後半部分の方が前半部分よりも電力が大きいとの判定結果を示している場合には、前半部分として０を、後半部分として上記インパルス雑音成分加算ステップの出力を出力する
ことを特徴とする請求項１３に記載の受信方法。
【請求項１５】
上記インパルス雑音成分生成ステップは、
上記第１の前後半電力比較ステップの出力が、上記第１の逆フーリエ変換ステップから出力される各シンボルの信号の前半部分の方が後半部分よりも電力が大きいとの判定結果を示し、かつ上記第２の前後半電力比較ステップの出力が、上記第２の逆フーリエ変換ステップから出力される各シンボルの信号の前半部分の方が後半部分よりも電力が小さいとの判定結果を示している場合、又は上記第１の前後半電力比較ステップの出力が、上記第１の逆フーリエ変換ステップから出力される各シンボルの信号の前半部分の方が後半部分よりも電力が小さいとの判定結果を示し、かつ上記第２の前後半電力比較ステップの出力が、上記第２の逆フーリエ変換ステップから出力される各シンボルの信号の前半部分の方が後半部分よりも電力が大きいとの判定結果を示している場合には、
前半部分及び後半部分を共に０とした１シンボル長の信号を出力する
ことを特徴とする請求項１３に記載の受信方法。
【請求項１６】
上記インパルス雑音成分生成ステップの出力及び上記受信方法の実施に用いられる装置の外部から入力される判定閾値を入力とし、上記インパルス雑音成分生成ステップの出力が上記判定閾値よりも小さい場合は前半部分及び後半部分の出力を共に０にした信号を上記インパルス雑音抑圧ステップに出力するインパルス雑音判定ステップをさらに備え、
上記インパルス雑音抑圧ステップは、上記遅延調整ステップの出力と上記インパルス雑音判定ステップの出力から、上記インパルス雑音成分を除去した時間ドメイン信号を生成する
ことを特徴とする請求項１３に記載の受信方法。
【発明の詳細な説明】
【技術分野】
【０００１】
この発明は、直交周波数分割多重された信号を受信する場合に、インパルス雑音の影響を軽減し、受信性能を向上する受信装置及び受信方法に関するものである。
【背景技術】
【０００２】
直交周波数分割多重方式を用いて情報を無線伝送するシステムが通信、放送分野で実用化されている。直交周波数分割多重方式では、送信する情報（以下、「送信データ」ともいう）は複数のサブキャリアに割り振られ、各サブキャリアをＱＰＳＫ（Ｑｕａｄｒａｔｕｒｅ  Ｐｈａｓｅ  Ｓｈｉｆｔ  Ｋｅｙｉｎｇ）や多値ＱＡＭ（Ｑｕａｄｒａｔｕｒｅ  Ａｍｐｌｉｔｕｄｅ  Ｍｏｄｕｌａｔｉｏｎ）でデジタル変調した後、これらを互いに直交する周波数間隔に配置して伝送する。さらに、サブキャリアを受信側で復調する際に利用する信号として、既知信号（以下、「パイロットキャリア」ともいう）が特定のサブキャリアとして多重されている。実際には、これらの多重化されたサブキャリアは、逆フーリエ変換処理によって直交変換され、所望の送信周波数に周波数変換されて伝送される。【０００３】
具体的には、送信時に送信する伝送データが各サブキャリアの変調方式に応じてマッピングされ、これらが逆フーリエ変換される。次に、逆フーリエ変換後の信号の最後部が信号の先頭にコピーされる。この部分はガードインターバルと呼ばれ、ガードインターバルを付加することによって、ガードインターバル長以下の遅延時間を有する遅延波があっても、受信側でシンボル間干渉することなく信号を再生できるようになる。【０００４】
直交周波数分割多重方式では全てのサブキャリアは互いに直交するため、送信装置と受信装置の間でサブキャリア周波数の同期が確立した場合、送信データを正しく再生することができる。従って、直交周波数分割多重信号（以下、「ＯＦＤＭ信号」ともいう）を受信する受信装置では、ＯＦＤＭ信号を直交復調して所望の周波数帯域に周波数変換し、送信装置と受信装置の間のタイミング同期、サブキャリア周波数同期を確立しつつ、上記周波数変換した受信信号（以下、「時間ドメイン信号」ともいう）に対してフーリエ変換を行ってサブキャリア毎の受信信号を生成し、復調を行っている。【０００５】
サブキャリア変調方式としてＱＰＳＫやＱＡＭが採用されているＯＦＤＭ信号を受信する従来の受信装置では、各サブキャリアを復調するため、例えば送信信号にあらかじめ挿入されているパイロット信号を用いて伝送路における各サブキャリアの振幅及び位相変動量を推定し（以下、「伝送路推定」ともいう）、その推定結果に基づいてサブキャリアの振幅及び位相を補正（以下、「等化」ともいう）する。【０００６】
ところで、受信信号が伝送路においてインパルス雑音の影響を受けると受信性能が劣化する。特に、自動車などの移動体で信号を受信する場合は、他の移動体から発せられるインパルス雑音や周辺機器が発するインパルス雑音の影響が大きな問題になる。【０００７】
インパルス雑音の抑圧技術として、例えばガードインターバルまたはガードインターバルの元の信号である有効シンボル最後尾の期間にインパルス雑音が重畳した場合に、その影響を受けていないほうの信号を利用して信号を復調する技術が提案されている（特許文献１参照）。【０００８】
また、伝送路特性を推定し、その推定結果とパイロット信号を用いて基準信号を生成し、基準信号と受信信号の差異から雑音成分を推定した後、周波数ドメインで補正する技術も提案されている（特許文献２参照）。【０００９】
また、入力信号レベルの変動をもとにインパルス雑音成分を検出、除去する技術も提案されている（特許文献３参照）。
【先行技術文献】
【特許文献】
【００１０】
【特許文献１】国際公開第２００６／０６８１８６号（第１５頁、第１図）
【特許文献２】特表２００９−５０５５１１号公報（第４９頁、第１０図）
【特許文献３】特表２００８−５１４０８０号公報（第７頁、第１図）
【発明の概要】
【発明が解決しようとする課題】
【００１１】
従来のインパルス雑音抑圧技術は、インパルス雑音を抑圧可能な期間に制限があったり、受信信号のレベル変動や伝送路推定結果をもとにインパルス雑音成分を推定する必要があるために、推定誤差の影響で十分な抑圧効果が得られないという問題がある。【００１２】
この発明は、上述のような課題を解消するためになされたもので、インパルス雑音成分を高精度に推定、抑圧し、受信性能を向上できる受信装置及び方法を実現することを目的とする。
【課題を解決するための手段】
【００１３】
本発明の第１の態様の受信装置は、
周波数分割多重信号を受信し、送信データを再生する受信装置であって、
受信信号を所望の周波数に周波数変換することで得られる時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分を抽出する偶数番目サブキャリア抽出部と、
上記偶数番目サブキャリア抽出部の出力を逆フーリエ変換して時間ドメインのシンボル毎の信号を出力する第１の逆フーリエ変換部と、
上記第１の逆フーリエ変換部から出力される各シンボルの信号の前半部分及び後半部分の電力を比較して比較結果を出力する第１の前後半電力比較部と、
上記第１の前後半電力比較部の出力をもとに上記第１の逆フーリエ変換部から出力されるシンボル毎の信号に含まれるインパルス雑音成分を除去又は抑圧し、雑音成分除去後の信号を出力する第１のインパルス雑音除去部と、
上記フーリエ変換部の出力のうち、サブキャリア周波数がサブキャリア間隔の奇数倍のサブキャリア成分を抽出する奇数番目サブキャリア抽出部と、
上記奇数番目サブキャリア抽出部の出力を逆フーリエ変換して時間ドメインのシンボル毎の信号を出力する第２の逆フーリエ変換部と、
上記第２の逆フーリエ変換部から出力される各シンボルの信号の前半部分及び後半部分の電力を比較して比較結果を出力する第２の前後半電力比較部と、
上記第２の前後半電力比較部の出力をもとに上記第２の逆フーリエ変換部から出力される上記シンボル毎の信号に含まれるインパルス雑音成分を除去又は抑圧し、雑音成分除去後の信号を出力する第２のインパルス雑音除去部と、
上記第１のインパルス雑音除去部の出力と上記第２のインパルス雑音除去部の出力を加算して加算結果を出力する信号成分加算部と、
上記信号成分加算部の出力をフーリエ変換して周波数ドメインの信号を出力する再フーリエ変換部と、
上記再フーリエ変換部の出力から復調信号を生成する等化部と
を備えたことを特徴とする。
本発明の第２の態様の受信装置は、
周波数分割多重信号を受信し、送信データを再生する受信装置であって、
受信信号を所望の周波数に周波数変換することで得られる時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分を抽出する偶数番目サブキャリア抽出部と、
上記偶数番目サブキャリア抽出部の出力を逆フーリエ変換して時間ドメインのシンボル毎の信号を出力する第１の逆フーリエ変換部と、
上記第１の逆フーリエ変換部から出力される各シンボルの信号の前半部分及び後半部分の電力を比較して比較結果を出力する第１の前後半電力比較部と、
上記第１の前後半電力比較部の出力をもとに上記第１の逆フーリエ変換部から出力される上記各シンボルの信号の前半部分と後半部分の差を求めて、半シンボル長の差信号を生成する前後半減算部と、
上記フーリエ変換部の出力のうち、サブキャリア周波数がサブキャリア間隔の奇数倍のサブキャリア成分を抽出する奇数番目サブキャリア抽出部と、
上記奇数番目サブキャリア抽出部の出力を逆フーリエ変換して時間ドメインのシンボル毎の信号を出力する第２の逆フーリエ変換部と、
上記第２の逆フーリエ変換部から出力される各シンボルの信号の前半部分及び後半部分の電力を比較して比較結果を出力する第２の前後半電力比較部と、
上記第２の逆フーリエ変換部から出力されるシンボル毎の信号の前半部分と後半部分を加算して、半シンボル長の和信号を生成する前後半加算部と、
上記前後半減算部の出力と上記前後半加算部の出力を加算して加算結果を出力するインパルス雑音成分加算部と、
上記第１の前後半電力比較部の出力、上記第２の前後半電力比較部の出力及び上記インパルス雑音成分加算部の出力をもとにインパルス雑音成分を生成するインパルス雑音成分生成部と、
上記フーリエ変換部の出力を遅延させて、上記インパルス雑音成分生成部からの上記インパルス雑音成分の出力と同期させる遅延調整部と、
上記遅延調整部の出力と上記インパルス雑音生成部から出力される上記インパルス成分雑音成分又はこれに基づいて生成された信号から、インパルス雑音成分を除去した時間ドメイン信号を生成するインパルス雑音抑圧部と、
上記インパルス雑音抑圧部の出力をフーリエ変換して周波数ドメインの信号を出力する再フーリエ変換部と、
上記再フーリエ変換部の出力から復調信号を生成する等化部と
を備えたことを特徴とする。
【発明の効果】
【００１４】
本発明によれば、インパルス雑音を高精度に検出することができ、インパルス雑音の影響を従来よりも軽減することが可能となり、受信性能を向上させることができる。
【図面の簡単な説明】
【００１５】
【図１】この発明の実施の形態１の受信装置を示すブロック図である。
【図２】（ａ）〜（ｆ）は、ＯＦＤＭ信号の時間ドメイン信号をサブキャリア成分毎に分解して示す図である。
【図３】（ａ）〜（ｃ）は、ＯＦＤＭ信号の時間ドメイン信号１シンボル分を表す図である。
【図４】図１の第１のインパルス雑音除去部の構成例を表すブロック図である。
【図５】（ａ）及び（ｂ）は、図１の第１のインパルス雑音除去部の出力を示す図である。
【図６】図１の第２のインパルス雑音除去部の構成例を表すブロック図である。
【図７】（ａ）及び（ｂ）は、図１の第２のインパルス雑音除去部の出力を示す図である。
【図８】この発明の実施の形態２の受信装置を示すブロック図である。
【図９】（ａ）〜（ｃ）は、図８の前後半減算部の出力、前後半加算部及びインパルス雑音成分加算部の出力を示す図である。
【図１０】（ａ）〜（ｃ）は、図８のインパルス雑音成分生成部の出力を示す図である。
【図１１】この発明の実施の形態３の受信装置を示すブロック図である。
【発明を実施するための形態】
【００１６】
実施の形態１．
図１はこの発明の実施の形態１による受信装置を示すブロック図である。図示の受信装置は、周波数分割多重信号を受信し、送信データを再生するものであって、フーリエ変換部１、偶数番目サブキャリア抽出部２、第１の逆フーリエ変換部３、奇数番目サブキャリア抽出部４、第２の逆フーリエ変換部５、第１の前後半電力比較部６、第１のインパルス雑音除去部７、第２の前後半電力比較部８、第２のインパルス雑音除去部９、信号成分加算部１０、再フーリエ変換部１１、及び等化部１２を備える。
【００１７】
フーリエ変換部１には、受信信号を所望の周波数に周波数変換することで得られる時間ドメイン信号Ｓｉｎが入力され、送信側で付加されたガードインターバル長やヘッダ長を除く１シンボル（以下、「１有効シンボル」ともいう）長の信号に対し、フーリエ変換を行って周波数ドメインの信号Ｄ１を出力する。
【００１８】
ここで、ＯＦＤＭの時間ドメイン信号Ｓｉｎの性質について図２（ａ）〜（ｆ）及び図３（ａ）〜（ｃ）を用いて説明する。但し、簡単のためＯＦＤＭ信号に重畳されている雑音は無視できるものとする。ＯＦＤＭは、互いに直交する複数のサブキャリアによって信号を伝送する方式であるため、時間ドメイン信号はそれらサブキャリア成分を重ね合わせた信号である。その有効シンボル長はサブキャリア間隔の逆数で表される。
【００１９】
各サブキャリア成分は、サブキャリア間隔の整数倍の周波数をもつ複素信号と考えることができる。従って、１有効シンボルをサブキャリア成分毎に分離して表すと、図２（ａ）〜（ｆ）のようになる。但し、図中には簡単のため複素信号成分の虚部成分のみを表している。図から明らかなように、サブキャリア間隔の偶数倍の周波数を持つサブキャリア（図２（ｂ）、（ｄ）、（ｆ））は、各有効シンボルの前半と後半が同じ波形になり、サブキャリア間隔の奇数倍の周波数を持つサブキャリア（図２（ａ）、（ｃ）、（ｅ））は、各有効シンボルの前半と後半が極性の異なる波形になる。
【００２０】
従って、ＯＦＤＭ信号からサブキャリア間隔の偶数倍の周波数を持つサブキャリア（以下、「偶数番目のサブキャリア」ともいう）成分のみを抽出すると、図３（ｂ）に示すように、各シンボルの時間ドメイン信号の前半Ｅｐと後半Ｅｑが同じ波形になり、サブキャリア間隔の奇数倍の周波数を持つサブキャリア（以下、「奇数番目のサブキャリア」ともいう）成分のみを抽出すると、図３（ｃ）に示すように、各シンボルの時間ドメイン信号の前半Ｏｐと後半Ｏｑが極性の異なる波形になるという性質がある。
【００２１】
そこで、本実施の形態では、フーリエ変換部１の出力（以下、「周波数ドメイン信号」ともいう）Ｄ１を偶数番目のサブキャリア成分と奇数番目のサブキャリア成分に分離し、それぞれの性質を利用してインパルス雑音を除去する。
【００２２】
そのために、偶数番目サブキャリア抽出部２は、フーリエ変換部１の出力Ｄ１を入力とし、そこに含まれている偶数番目のサブキャリア成分Ｄ２のみを抽出し、奇数番目のサブキャリア成分は０として出力する。
第１の逆フーリエ変換部３は、偶数番目サブキャリア抽出部２の出力Ｄ２を入力とし、フーリエ変換部１と同じポイント数の逆フーリエ変換を行って時間ドメインの信号Ｄ３を出力する。第１の逆フーリエ変換部３の出力Ｄ３は、時間ドメイン信号における全ての偶数番目のサブキャリア成分を重ね合わせた信号となる。
【００２３】
また、奇数番目サブキャリア抽出部４は、フーリエ変換部１の出力Ｄ１を入力とし、そこに含まれている奇数番目のサブキャリア成分Ｄ４のみを抽出し、偶数番目のサブキャリア成分は０として出力する。
第２の逆フーリエ変換部５は、奇数番目サブキャリア抽出部４の出力Ｄ４を入力とし、フーリエ変換部１と同じポイント数の逆フーリエ変換を行って時間ドメインの信号Ｄ５を出力する。第２の逆フーリエ変換部５の出力Ｄ５は、時間ドメイン信号における全ての奇数番目のサブキャリア成分を重ね合わせた信号となる。
【００２４】
次に、第１の前後半電力比較部６は、第１の逆フーリエ変換部３から出力される各シンボルの信号Ｄ３の前半部分Ｄ３ｐ及び後半部分Ｄ３ｑの電力を表す信号をそれぞれ生成し、それらに基づいて電力を比較して比較結果（電力情報）を示す信号Ｄ６を生成して出力する。
第１のインパルス雑音除去部７は、第１の前後半電力比較部６の出力Ｄ６及び第１の逆フーリエ変換部３の出力Ｄ３をもとに第１の逆フーリエ変換部３の出力に含まれるインパルス雑音成分を除去する。
【００２５】
第１のインパルス雑音除去部７は、第１の前後半電力比較部６から出力される偶数番目のサブキャリア成分に関する電力情報Ｄ６をもとにインパルス雑音成分が有効シンボルの前半にあるか後半にあるかを判定し、インパルス雑音の影響を受けていない方の信号成分を使って偶数番目のサブキャリア成分の時間ドメイン信号を再構成する。
【００２６】
第１のインパルス雑音除去部７は、例えば図４に示すように、第１の逆フーリエ変換部３の出力Ｄ３を入力とする第１の前半信号抽出部７０及び第１の後半信号抽出部７１と、第１の前半信号抽出部７０の出力Ｄ３ｐ、第１の後半信号抽出部７１の出力Ｄ３ｑ及び第１の前後半電力比較部６の出力Ｄ６を入力とする第１の繰り返し信号生成部７２を備え、第１の繰り返し信号生成部７２の出力が第１のインパルス雑音除去部７の出力Ｄ７である。
【００２７】
第１の前半信号抽出部７０は、第１の逆フーリエ変換部３から出力されるシンボル毎の信号Ｄ３の前半部分信号Ｄ３ｐを抽出し、第１の後半信号抽出部７１は、第１の逆フーリエ変換部３から出力されるシンボル毎の信号Ｄ３の後半部分Ｄ３ｑを抽出する。
【００２８】
第１の繰り返し信号生成部７２は、第１の前半信号抽出部７０の出力Ｄ３ｐ、及び第１の後半信号抽出部７１の出力Ｄ３ｑのいずれかを第１の前後半電力比較部６の出力Ｄ６に応じて選択し、選択した信号をもとにインパルス雑音成分を除去または抑圧した信号Ｄ７を生成する。
【００２９】
具体的には、第１の前後半電力比較部６の出力Ｄ６が、第１の逆フーリエ変換部３の出力Ｄ３の前半部分Ｄ３ｐの方が後半部分Ｄ３ｑよりも電力が大きいことを示す場合には、第１の繰り返し信号生成部７２は、第２の後半信号抽出部７１の出力Ｄ３ｑを２回繰り返すことで得られる信号、即ち、前半及び後半に第２の後半信号抽出部７１の出力Ｄ３ｑを配置した信号（図５（ａ））を出力する。
【００３０】
一方、第１の前後半電力比較部６の出力Ｄ６が、第１の逆フーリエ変換部３の出力Ｄ３の後半部分Ｄ３ｑの方が前半部分Ｄ３ｐよりも電力が大きいことを示す場合には、第１の繰り返し信号生成部７２は、第１の前半信号抽出部７０の出力Ｄ３ｐを２回繰り返すことで得られる信号、即ち、前半及び後半に第１の後半信号抽出部７０の出力Ｄ３ｐを配置した信号（図５（ｂ））を出力する。
【００３１】
このような処理により、第１の繰り返し信号生成部７２の出力Ｄ７は、インパルス雑音の影響を受けていない、または影響が比較的小さい信号を利用して偶数番目のサブキャリア成分の時間ドメイン信号を再構成した１シンボル長ＬＥの信号となる。
【００３２】
次に、第２の前後半電力比較部８は、第２の逆フーリエ変換部５から出力される各シンボルの信号Ｄ５の前半部分Ｄ５ｐ及び後半部分Ｄ５ｑの電力を表す信号をそれぞれ生成し、それらに基づいて電力を比較して比較結果（電力情報）を示す信号Ｄ８を生成して出力する。
第２のインパルス雑音除去部９は、第２の前後半電力比較部８の出力Ｄ８及び第２の逆フーリエ変換部５の出力Ｄ５をもとに第２の逆フーリエ変換部５の出力に含まれるインパルス雑音成分を除去する。
【００３３】
第２のインパルス雑音除去部９は、第２の前後半電力比較部８から出力される奇数番目のサブキャリア成分に関する電力情報Ｄ８をもとにインパルス雑音成分が有効シンボルの前半にあるか後半にあるかを判定し、インパルス雑音の影響を受けていない方の信号成分を使って奇数番目のサブキャリア成分の時間ドメイン信号を再構成する。
【００３４】
第２のインパルス雑音除去部９は、例えば図６に示すように、第２の逆フーリエ変換部５の出力Ｄ５を入力とする第２の前半信号抽出部９０及び第２の後半信号抽出部９１と、第２の前半信号抽出部９０の出力Ｄ５ｐ、第２の後半信号抽出部９１の出力Ｄ５ｑ及び第２の前後半電力比較部８の出力Ｄ８を入力とする第２の繰り返し信号生成部９２とを備え、第２の繰り返し信号生成部９２の出力が第２のインパルス雑音除去部９の出力Ｄ９である。
【００３５】
第２の前半信号抽出部９０は、第２の逆フーリエ変換部５から出力されるシンボル毎の信号Ｄ５の前半部分Ｄ５ｐを抽出し、第２の後半信号抽出部９１は、第２の逆フーリエ変換部５から出力されるシンボル毎の信号Ｄ５の後半部分Ｄ５ｑを抽出する。
第２の繰り返し信号生成部９２は、第２の前半信号抽出部９０の出力Ｄ５ｐ、及び第２の後半信号抽出部９１の出力Ｄ５ｑのいずれかを第２の前後半電力比較部８の出力Ｄ８に応じて選択し、選択した信号をもとにインパルス雑音成分を除去または抑圧した信号Ｄ９を生成する。
【００３６】
具体的には、第２の前後半電力比較部８の出力Ｄ８が、第２の逆フーリエ変換部５の出力Ｄ５の前半部分Ｄ５ｐの方が後半部分Ｄ５ｑよりも電力が大きいことを示す場合には、第２の繰り返し信号生成部９２は、第２の後半信号抽出部９１の出力Ｄ５ｑの極性を反転した信号ｎＤ５ｑを１回目に、これに続いて第２の後半信号抽出部９１の出力Ｄ５ｑをそのまま（即ち極性反転せずに）出力する。言い換えると、第２の後半信号抽出部９１の出力Ｄ５ｑの極性を反転した信号ｎＤ５ｑを前半に配置し、第２の後半信号抽出部９１の出力Ｄ５ｑをそのまま（即ち極性反転せずに）後半に配置した信号（図７（ａ））を出力する。
【００３７】
一方、第２の前後半電力比較部８の出力Ｄ８が、第２の逆フーリエ変換部５の出力Ｄ５の後半部分Ｄ５ｑの方が前半部分Ｄ５ｐよりも電力が大きいことを示す場合には、第２の繰り返し信号生成部９２は、第１の前半信号抽出部９０の出力Ｄ５ｐをそのまま（即ち極性反転せずに）１回目に、これに続いて第１の前半信号抽出部９０の出力Ｄ５ｐの極性を反転した信号ｎＤ５ｐを２回目に出力する。言い換えると、第１の前半信号抽出部９０の出力Ｄ５ｐをそのまま（即ち極性反転せずに）前半に配置し、第１の前半信号抽出部９０の出力Ｄ５ｐの極性を反転した信号ｎＤ５ｐを後半に配置した信号（図７（ｂ））を出力する。
【００３８】
このような処理により、第２の繰り返し信号生成部９２の出力Ｄ９は、インパルス雑音の影響を受けていない、または影響が比較的小さい信号を利用して奇数番目のサブキャリア成分の時間ドメイン信号を再構成した１シンボル長ＬＥの信号となる。
【００３９】
信号成分加算部１０は、第１のインパルス雑音除去部７の出力Ｄ７及び第２のインパルス雑音除去部９の出力Ｄ９を入力とし、それらを加算することで、偶数番目のサブキャリア成分と奇数番目のキャリア成分を再結合して出力する。従って、信号成分加算部１０の出力Ｄ１０は、インパルス雑音成分が除去された時間ドメイン信号であり、偶数番目のサブキャリア成分と奇数番目のキャリア成分を含む。
信号成分加算部１０の出力Ｄ１０は再フーリエ変換部１１に入力され、再フーリエ変換部１１は、信号成分加算部１０の出力をフーリエ変換して周波数ドメインの信号Ｄ１１を出力する。
再フーリエ変換部出力される信号Ｄ１１は、等化部１２によって例えば公知の方法で復調されて復調信号Ｄ１２となる。
【００４０】
以上に示したように、本発明の実施の形態１によれば、受信信号の各サブキャリア成分が、各シンボル区間の前半と後半とで極性も振幅も同じ、或いは振幅が同じで極性が異なるという性質を利用して妨害成分を検出し、検出結果をもとにインパルス雑音の重畳していない区間の信号またはインパルス雑音の影響が比較的小さい区間の信号のみを使って信号を復調するため、インパルス雑音の検出精度が高く、その影響を従来よりも軽減することが可能となり、受信性能を向上することができる。
【００４１】
実施の形態２．
実施の形態１では、インパルス雑音成分の影響を受けていないまたは影響が比較的小さい信号を利用して信号を復調するように構成しているが、次に、時間ドメイン信号からインパルス雑音成分を除去した後、復調する実施の形態を示す。
【００４２】
図８はこの発明の実施の形態２による受信装置を示すブロック図である。図８において、符号１、２、３、４、５、６、８、１１及び１２で示す部材は実施の形態１で示したものと同じである。実施の形態２の受信装置はさらに、前後半減算部１３、前後半加算部１４、インパルス雑音成分加算部１５、インパルス雑音成分生成部１６、遅延調整部１７、及びインパルス雑音抑圧部１８を備える。
【００４３】
符号１、２、３、４、５、６、８、１１及び１２で示す部材の動作は実施の形態１で説明したのと同様である。但し、再フーリエ変換部１１は、インパルス雑音抑圧部１８の出力を入力とする。
【００４４】
前後半減算部１３は、第１の前後半電力比較部６の出力Ｄ６をもとに第１の逆フーリエ変換部３から出力される各シンボルの信号Ｄ３の前半部分Ｄ３ｐと後半部分Ｄ３ｑの差信号Ｄ１３を生成するものであり、第１の前後半電力比較部６の出力Ｄ６が、第１の逆フーリエ変換部３から出力される信号Ｄ３の前半部分Ｄ３ｐの方が後半部分Ｄ３ｑよりも電力が大きいことを示す場合には、前半部分Ｄ３ｐから後半部分Ｄ３ｑを減算して差信号Ｄ１３（＝Ｄ３ｐ−Ｄ３ｑ）を出力し、そうでない場合は後半部分Ｄ３ｑから前半部分Ｄ３ｐを減算して差信号Ｄ１３（＝Ｄ３ｑ−Ｄ３ｐ）を出力する。差信号Ｄ１３は、図９（ａ）に示すように、１有効シンボル区間（ＬＥ）の半分の長さＬＥ／２を有する信号、即ち半シンボル長の信号である。
【００４５】
一方、前後半加算部１４は、第２の逆フーリエ変換部５から出力される各シンボルの信号Ｄ５の前半部分Ｄ５ｐと後半部分Ｄ５ｑを加算して和信号Ｄ１４＝（Ｄ５ｐ＋Ｄ５ｑ）を生成して出力する。和信号Ｄ１４も、図９（ｂ）に示すように、半シンボル長ＬＥ／２の信号である。
【００４６】
前後半減算部１３は、偶数番目のサブキャリア成分Ｄ３の前半部分Ｄ３ｐと後半部分Ｄ３ｑの差信号を生成するため、インパルス雑音の重畳されていない理想的なＯＦＤＭ信号の場合は、前後半減算部１３の出力Ｄ１３は０になる。このことは、減算によって本来の信号成分は取り除かれ、雑音成分のみが残ることを意味する。従って、インパルス雑音が重畳されている場合の前後半減算部１３の出力Ｄ１３は、偶数番目のサブキャリア成分に重畳されたインパルス雑音成分を表す。
【００４７】
一方、前後半加算部１４は、奇数番目のサブキャリア成分Ｄ５の前半部分Ｄ５ｐと後半部分Ｄ５ｑの和信号を生成するため、インパルス雑音の重畳されていない理想的なＯＦＤＭ信号の場合は、前後半加算部１４の出力Ｄ１４は０になる。このことは、加算によって本来の信号成分は取り除かれ、雑音成分のみが残ることを意味する。従って、インパルス雑音が重畳されている場合の前後半加算部１４の出力Ｄ１４は、奇数番目のサブキャリア成分に重畳されたインパルス雑音成分を表す。
【００４８】
インパルス雑音成分加算部１５は、前後半減算部１３の出力Ｄ１３と前後半加算部１４の出力Ｄ１４を加算して出力する。インパルス雑音成分加算部１５の出力Ｄ１５も、図９（ｃ）に示すように、半シンボル長ＬＥ／２の信号である。
【００４９】
インパルス雑音成分生成部１６は、第１の前後半電力比較部６の出力Ｄ６、第２の前後半電力比較部８の出力Ｄ８及びインパルス雑音成分加算部１５の出力（半シンボル長の信号）Ｄ１５をもとに１シンボル長ＬＥのインパルス雑音成分を生成して出力する。
【００５０】
すなわち、第１の前後半電力比較部６の出力Ｄ６が、第１の逆フーリエ変換部３から出力される各シンボルの信号Ｄ３の前半部分Ｄ３ｐの方が後半部分Ｄ３ｑよりも電力が大きいとの判定結果を示し、かつ第２の前後半電力比較部８の出力Ｄ８が、第２の逆フーリエ変換部５から出力される各シンボルの信号Ｄ５の前半部分Ｄ５ｐの方が後半部分Ｄ５ｑよりも電力が大きいとの判定結果を示している場合には、インパルス雑音成分生成部１６は、前半部分としてインパルス雑音成分加算部１５の出力Ｄ１５を、後半部分として０を配置した信号（図１０（ａ））を出力する。
一方、第１の前後半電力比較部６の出力Ｄ６が、第１の逆フーリエ変換部３から出力される各シンボルの信号Ｄ３の後半部分Ｄ３ｑの方が前半部分Ｄ３ｐよりも電力が大きいとの判定結果を示し、かつ第２の前後半電力比較部８の出力Ｄ８が、第２の逆フーリエ変換部５から出力される各シンボルの信号Ｄ５の後半部分Ｄ５ｑの方が前半部分Ｄ５ｐよりも電力が大きいとの判定結果を示している場合には、インパルス雑音成分生成部１６は、前半部分として０を、後半部分としてインパルス雑音成分加算部１５の出力Ｄ１５を配置した信号（図１０（ｂ））を出力する。
【００５１】
このような処理により、インパルス雑音成分生成部１６は、インパルス雑音成分加算部１５から出力される半シンボル長ＬＥ／２の信号Ｄ１５から、１シンボル長ＬＥの信号Ｄ１６を生成する。インパルス雑音成分生成部１６の出力Ｄ１６は、時間ドメイン信号に含まれているインパルス雑音成分の推定信号となる。
【００５２】
遅延調整部１７は、フーリエ変換部１から出力される信号がインパルス雑音成分生成部１６による信号の出力と同期するようにフーリエ変換部１の出力を所定の時間遅延する。即ち、遅延調整部１７の遅延時間は、フーリエ変換部１の出力がサブキャリア抽出部２、４、逆フーリエ変換部３、４、電力比較部６、８、前後半減算部１３、前後半加算部１４、インパルス雑音成分加算部１５、及びインパルス雑音成分生成部１６の経路で処理されるのに要する時間と同じに設定される。
【００５３】
インパルス雑音抑圧部１８は、遅延調整部１７の出力Ｄ１７（遅延時間を調整された時間ドメイン信号）から、インパルス雑音生成部１６の出力Ｄ１６を減算することで、インパルス雑音成分を除去した時間ドメイン信号Ｄ１８を生成する。
【００５４】
インパルス雑音抑圧部１８の出力Ｄ１８は、再フーリエ変換部１１に出力される。再フーリエ変換部１１は、インパルス雑音抑圧部１８の出力Ｄ１８をフーリエ変換して周波数ドメインの信号Ｄ１１として出力する。
【００５５】
なお、インパルス雑音成分生成部１６は、第１の前後半電力比較部６の出力Ｄ６と第２の前後半電力比較部８の出力Ｄ８が互いに異なった信号部分の電力が大きいことを示している場合、即ち、一方が前半部分のほうが電力が大きいことを示し、他方が後半部分のほうが電力が大きいことを示している場合には、前半部分及び後半部分の双方に０を配置した信号（図１０（ｃ））を出力するように構成しても良く、代わりに、比較した電力の差がより大きい信号成分についての比較結果に基づいて、前半部分及び後半部分に配置する信号を決めるようにしても良い。
【００５６】
以上に示したように、本発明の実施の形態２によれば、受信信号の各サブキャリア成分が、各シンボル区間の前半と後半とで極性も振幅も同じ、或いは振幅が同じで極性が異なるという性質を利用して妨害成分を検出し、検出結果をもとにインパルス雑音成分を生成して受信信号から除去した後、信号を復調するように構成されるため、インパルス雑音の検出精度が高く、その影響を従来よりも軽減することが可能となり、受信性能を向上することができるという効果がある。
【００５７】
実施の形態３．
次に、推定したインパルス雑音成分を時間ドメイン信号から除去する前に、生成したインパルス雑音成分の大きさをもとに、インパルス雑音として受信信号から除去する必要があるか否かを判断した上で信号を復調する実施の形態を示す。
【００５８】
図１１はこの発明の実施の形態３による受信装置を示すブロック図である。図１１において、符号１、２、３、４、５、６、８、１１、１２、１３、１４、１５、１６、１７及び１８で示す部材は、実施の形態２で示したものと同じである。図１１の受信装置は、インパルス雑音判定部１９が付加されている点で、実施の形態２の受信装置と異なる。
【００５９】
部材１、２、３、４、５、６、８、１１、１２、１３、１４、１５、１６、１７及び１８で示す部材の動作は実施の形態１及び実施の形態２に関して説明したのと同様である。
【００６０】
インパルス雑音判定部１９は、インパルス雑音成分生成部１６の出力Ｄ１６及び外部から与えられる判定閾値Ｔｈ１９を入力とする。
インパルス雑音判定部１９では、インパルス雑音成分生成部１６の出力Ｄ１６の振幅の最大値が判定閾値Ｔｈ１９よりも小さい場合は除去する必要があるインパルス雑音成分は無いものと判断し、各シンボル区間の前半部分及び後半部分の出力を共に０に置き換えた信号（図１０（ｃ））をインパルス雑音抑圧部１８に出力する。
【００６１】
尚、インパルス雑音成分の有無を判断のために使用される信号は、インパルス雑音成分生成部１６の出力の振幅の最大値ではなく、例えば出力の振幅の２乗値など、振幅の大きさに比例するものであれば良い。また、その最大値と平均値の差、または比で判断しても良い。
【００６２】
インパルス雑音抑圧部１８は、インパルス雑音判定部１９の出力Ｄ１９を、インパルス雑音成分生成部１６の出力Ｄ１６の代わりに用いて実施の形態２で述べたのと同様に、遅延調整部１７の出力から減算することで、インパルス雑音成分を除去した時間ドメイン信号Ｄ１８を出力する。
インパルス雑音抑圧部１８から出力される信号Ｄ１８を処理する再フーリエ変換部１１及び等化部１２の動作は実施の形態１、２と同様である。
【００６３】
以上に示したように、本発明の実施の形態３によれば、実施の形態２による効果に加え、生成したインパルス雑音成分の大きさをもとに、インパルス雑音として受信信号から除去する必要があるか否かを判断できるように構成されるため、インパルス雑音の誤推定の影響を軽減し、受信性能を向上することができる。
【００６４】
以上、本発明を受信装置として説明したが、受信装置により実施される受信方法もまた本発明の一部を成す。
【符号の説明】
【００６５】
１  フーリエ変換部、  ２  偶数番目サブキャリア抽出部、  ３  第１の逆フーリエ変換部、  ４  奇数番目サブキャリア抽出部、  ５  第２の逆フーリエ変換部、  ６  第１の前後半電力比較部、  ７  第１のインパルス雑音除去部、  ８  第２の前後半電力比較部、  ９  第２のインパルス雑音除去部、  １０  信号成分加算部、  １１  再フーリエ変換部、  １２  等化部、  １３  前後半減算部、  １４  前後半加算部、  １５  インパルス雑音成分加算部、  １６  インパルス雑音成分生成部、  １７  遅延調整部、  １８  インパルス雑音抑圧部、  １９  インパルス雑音判定部、  ７０  第１の前半信号抽出部、  ７１  第１の後半信号抽出部、  ７２  第１の繰り返し信号生成部、  ９０  第２の前半信号抽出部、  ９１  第２の後半信号抽出部、  ９２  第２の繰り返し信号生成部。
【図１】
2013080578.tif 000003
【図２】
2013080578.tif 000004
【図３】
2013080578.tif 000005
【図４】
2013080578.tif 000006
【図５】
2013080578.tif 000007
【図６】
2013080578.tif 000008
【図７】
2013080578.tif 000009
【図８】
2013080578.tif 000010
【図９】
2013080578.tif 000011
【図１０】
2013080578.tif 000012
【図１１】
2013080578.tif 000013
【手続補正書】
【提出日】平成26年2月6日(2014.2.6)
【手続補正１】
【補正対象書類名】特許請求の範囲
【補正対象項目名】全文
【補正方法】変更
【補正の内容】
【特許請求の範囲】
【請求項１】
周波数分割多重信号を受信し、送信データを再生する受信装置であって、
受信信号を所望の周波数に周波数変換することで得られる時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分及び奇数倍のサブキャリア成分のうちの一方を抽出する第１のサブキャリア抽出部と、
上記第１のサブキャリア抽出部の出力を逆フーリエ変換して時間ドメインのシンボル毎の信号を出力する第１の逆フーリエ変換部と、
上記第１の逆フーリエ変換部から出力される各シンボルの信号の前半部分及び後半部分の電力を比較して比較結果を出力する第１の前後半電力比較部と、
上記第１の前後半電力比較部の出力をもとに上記第１の逆フーリエ変換部から出力されるシンボル毎の信号に含まれるインパルス雑音成分を除去又は抑圧し、雑音成分除去後の信号を出力する第１のインパルス雑音除去部と、
上記第１のインパルス雑音除去部の出力をフーリエ変換して周波数ドメインの信号を出力する再フーリエ変換部と、
上記再フーリエ変換部の出力から復調信号を生成する等化部と
を備えたことを特徴とする受信装置。
【請求項２】
上記フーリエ変換部の出力のうち、サブキャリア周波数がサブキャリア間隔の偶数倍のサブキャリア成分及び奇数倍のサブキャリア成分のうちの他方を抽出する第２のサブキャリア抽出部と、
上記第２のサブキャリア抽出部の出力を逆フーリエ変換して時間ドメインのシンボル毎の信号を出力する第２の逆フーリエ変換部と、
上記第２の逆フーリエ変換部から出力される各シンボルの信号の前半部分及び後半部分の電力を比較して比較結果を出力する第２の前後半電力比較部と、
上記第２の前後半電力比較部の出力をもとに上記第２の逆フーリエ変換部から出力される上記シンボル毎の信号に含まれるインパルス雑音成分を除去又は抑圧し、雑音成分除去後の信号を出力する第２のインパルス雑音除去部と、
上記第１のインパルス雑音除去部の出力と上記第２のインパルス雑音除去部の出力を加算して加算結果を出力する信号成分加算部とをさらに備え、
上記再フーリエ変換部は、上記信号成分加算部の出力を上記再フーリエ変換部の入力として、フーリエ変換して周波数ドメインの信号を出力する
ことを特徴とする請求項１に記載の受信装置。
【請求項３】
上記第１のインパルス雑音除去部は、
上記第１の逆フーリエ変換部から出力される上記各シンボルの信号の前半部分を抽出する第１の前半信号抽出部と、
上記第１の逆フーリエ変換部から出力される上記各シンボルの信号の後半部分を抽出する第１の後半信号抽出部と、
上記第１の前半信号抽出部の出力、及び上記第１の後半信号抽出部の出力のいずれかを上記第１の前後半電力比較部の出力に応じて選択し、選択した信号をもとにインパルス雑音成分を除去または抑圧した信号を生成する第１の繰り返し信号生成部を含み、
上記第２のインパルス雑音除去部は、
上記第２の逆フーリエ変換部から出力される上記各シンボルの信号の前半部分を抽出する第２の前半信号抽出部と、
上記第２の逆フーリエ変換部から出力される上記各シンボルの信号の後半部分を抽出する第２の後半信号抽出部と、
上記第２の前半信号抽出部の出力、及び上記第２の後半信号抽出部の出力のいずれかを上記第２の前後半電力比較部の出力に応じて選択し、選択した信号をもとにインパルス雑音成分を除去または抑圧した信号を生成する第２の繰り返し信号生成部を含んでいる
ことを特徴とする請求項１または２に記載の受信装置。
【請求項４】
上記第１のサブキャリア抽出部は、上記フーリエ変換部の出力のうち、サブキャリア周波数がサブキャリア間隔の偶数倍のサブキャリア成分を抽出するものであり、
上記第２のサブキャリア抽出部は、上記フーリエ変換部の出力のうち、サブキャリア周波数がサブキャリア間隔の奇数倍のサブキャリア成分を抽出するものであり、
上記第１の繰り返し信号生成部は、
上記第１の前後半電力比較部の出力が、上記第１の逆フーリエ変換部から出力される上記各シンボルの信号の前半部分の方が後半部分よりも電力が大きいことを示す場合には、上記第１の後半信号抽出部の出力を２回繰り返して出力し、
上記第１の前後半電力比較部の出力が、上記第１の逆フーリエ変換部から出力される上記各シンボルの信号の後半部分の方が前半部分よりも電力が大きいことを示す場合には、上記第１の前半信号抽出部の出力を２回繰り返して出力し、
上記第２の繰り返し信号生成部は、
上記第２の前後半電力比較部の出力が、上記第２の逆フーリエ変換部から出力される上記各シンボルの信号の前半部分の方が後半部分よりも電力が大きいことを示す場合には、上記第２の後半信号抽出部の出力の極性を反転した信号を１回目に、これに続いて上記第２の後半信号抽出部の出力を２回目に出力し、
上記第２の前後半電力比較部の出力が、上記第２の逆フーリエ変換部から出力される上記各シンボルの信号の後半部分の方が前半部分よりも電力が大きいことを示す場合には、上記第１の前半信号抽出部の出力を１回目に、これに続いて上記第１の前半信号抽出部の出力の極性を反転した信号を２回目に出力する
ことを特徴とする請求項３に記載の受信装置。
【請求項５】
周波数分割多重信号を受信し、送信データを再生する受信装置であって、
受信信号を所望の周波数に周波数変換することで得られる時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分及び奇数倍のサブキャリア成分のうちの一方を抽出する第１のサブキャリア抽出部と、
上記第１のサブキャリア抽出部の出力を逆フーリエ変換して時間ドメインのシンボル毎の信号を出力する第１の逆フーリエ変換部と、
上記第１の逆フーリエ変換部から出力される各シンボルの信号の前半部分及び後半部分の電力を比較して比較結果を出力する第１の前後半電力比較部と、
上記第１のサブキャリア抽出部が、上記フーリエ変換部の出力のうち、サブキャリア周波数がサブキャリア間隔の偶数倍のサブキャリア成分を抽出するものである場合は、上記第１の前後半電力比較部の出力をもとに上記第１の逆フーリエ変換部から出力される上記各シンボルの信号の前半部分と後半部分の差を求めて、半シンボル長の差信号を生成し、上記第１のサブキャリア抽出部が、上記フーリエ変換部の出力のうち、サブキャリア周波数がサブキャリア間隔の奇数倍のサブキャリア成分を抽出するものである場合は、上記第１の逆フーリエ変換部から出力されるシンボル毎の信号の前半部分と後半部分を加算して、半シンボル長の和信号を生成する第１の前後半演算部と、
上記第１の前後半演算部の出力をもとにインパルス雑音成分を生成するインパルス雑音成分生成部と、
上記フーリエ変換部の出力を遅延させて、上記インパルス雑音成分生成部からの上記インパルス雑音成分の出力と同期させる遅延調整部と、
上記遅延調整部の出力と上記インパルス雑音成分生成部から出力される上記インパルス雑音成分又はこれに基づいて生成された信号から、インパルス雑音成分を除去した時間ドメイン信号を生成するインパルス雑音抑圧部と、
上記インパルス雑音抑圧部の出力をフーリエ変換して周波数ドメインの信号を出力する再フーリエ変換部と、
上記再フーリエ変換部の出力から復調信号を生成する等化部と
を備えたことを特徴とする受信装置。
【請求項６】
上記フーリエ変換部の出力のうち、サブキャリア周波数がサブキャリア間隔の偶数倍のサブキャリア成分及び奇数倍のサブキャリア成分のうちの他方を抽出する第２のサブキャリア抽出部と、
上記第２のサブキャリア抽出部の出力を逆フーリエ変換して時間ドメインのシンボル毎の信号を出力する第２の逆フーリエ変換部と、
上記第２の逆フーリエ変換部から出力される各シンボルの信号の前半部分及び後半部分の電力を比較して比較結果を出力する第２の前後半電力比較部と、
上記第２のサブキャリア抽出部が、上記フーリエ変換部の出力のうち、サブキャリア周波数がサブキャリア間隔の偶数倍のサブキャリア成分を抽出するものである場合は、上記第２の前後半電力比較部の出力をもとに上記第２の逆フーリエ変換部から出力される上記各シンボルの信号の前半部分と後半部分の差を求めて、半シンボル長の差信号を生成し、上記第２のサブキャリア抽出部が、上記フーリエ変換部の出力のうち、サブキャリア周波数がサブキャリア間隔の奇数倍のサブキャリア成分を抽出するものである場合は、上記第２の逆フーリエ変換部から出力されるシンボル毎の信号の前半部分と後半部分を加算して、半シンボル長の和信号を生成する第２の前後半演算部と、
上記第１の前後半演算部の出力と上記第２の前後半演算部の出力を加算して加算結果を出力するインパルス雑音成分加算部とをさらに備え、
上記インパルス雑音成分生成部は、上記第１の前後半電力比較部の出力、上記第２の前後半電力比較部の出力及び上記インパルス雑音成分加算部の出力をもとにインパルス雑音成分を生成する
ことを特徴とする請求項５に記載の受信装置。
【請求項７】
上記第１のサブキャリア抽出部が、上記フーリエ変換部の出力のうち、サブキャリア周波数がサブキャリア間隔の偶数倍のサブキャリア成分を抽出するものである場合は、
上記第１の前後半演算部は、
上記第１の前後半電力比較部の出力が、上記第１の逆フーリエ変換部から出力される各シンボルの信号の前半部分の方が後半部分よりも電力が大きいことを示す場合には、該前半部分から該後半部分を減算して上記差信号を出力し、
そうでない場合は該後半部分から該前半部分を減算して上記差信号を生成する
ことを特徴とする請求項６に記載の受信装置。
【請求項８】
上記第１のサブキャリア抽出部は、上記フーリエ変換部の出力のうち、サブキャリア周波数がサブキャリア間隔の偶数倍のサブキャリア成分を抽出するものであり、
上記第２のサブキャリア抽出部は、上記フーリエ変換部の出力のうち、サブキャリア周波数がサブキャリア間隔の奇数倍のサブキャリア成分を抽出するものであり、
上記インパルス雑音成分生成部は、
上記インパルス雑音成分加算部の出力から１シンボル長の信号を生成するものであり、
上記第１の前後半電力比較部の出力が、上記第１の逆フーリエ変換部から出力される各シンボルの信号の前半部分の方が後半部分よりも電力が大きいとの判定結果を示し、かつ上記第２の前後半電力比較部の出力が、上記第２の逆フーリエ変換部から出力される各シンボルの信号の前半部分の方が後半部分よりも電力が大きいとの判定結果を示している場合には、前半部分として上記インパルス雑音成分加算部の出力を、後半部分として０を出力し、
上記第１の前後半電力比較部の出力が、上記第１の逆フーリエ変換部から出力される各シンボルの信号の後半部分の方が前半部分よりも電力が大きいとの判定結果を示し、かつ上記第２の前後半電力比較部の出力が、上記第２の逆フーリエ変換部から出力される各シンボルの信号の後半部分の方が前半部分よりも電力が大きいとの判定結果を示している場合には、前半部分として０を、後半部分として上記インパルス雑音成分加算部の出力を出力する
ことを特徴とする請求項６に記載の受信装置。
【請求項９】
上記インパルス雑音成分生成部は、
上記第１の前後半電力比較部の出力が、上記第１の逆フーリエ変換部から出力される各シンボルの信号の前半部分の方が後半部分よりも電力が大きいとの判定結果を示し、かつ上記第２の前後半電力比較部の出力が、上記第２の逆フーリエ変換部から出力される各シンボルの信号の前半部分の方が後半部分よりも電力が小さいとの判定結果を示している場合、又は上記第１の前後半電力比較部の出力が、上記第１の逆フーリエ変換部から出力される各シンボルの信号の前半部分の方が後半部分よりも電力が小さいとの判定結果を示し、かつ上記第２の前後半電力比較部の出力が、上記第２の逆フーリエ変換部から出力される各シンボルの信号の前半部分の方が後半部分よりも電力が大きいとの判定結果を示している場合には、前半部分及び後半部分を共に０とした１シンボル長の信号を出力する
ことを特徴とする請求項７に記載の受信装置。
【請求項１０】
上記インパルス雑音成分生成部の出力及び外部から入力される判定閾値を入力とし、上記インパルス雑音成分生成部の出力が上記判定閾値よりも小さい場合は前半部分及び後半部分の出力を共に０にした信号を上記インパルス雑音抑圧部に出力するインパルス雑音判定部をさらに備え、
上記インパルス雑音抑圧部は、上記遅延調整部の出力と上記インパルス雑音判定部の出力から、上記インパルス雑音成分を除去した時間ドメイン信号を生成する
ことを特徴とする請求項７に記載の受信装置。
【請求項１１】
周波数分割多重信号を受信し、送信データを再生する受信方法であって、
受信信号を所望の周波数に周波数変換することで得られる時間ドメイン信号をフーリエ変換して周波数ドメインの信号を出力するフーリエ変換ステップと、
上記フーリエ変換ステップの出力のうち、サブキャリア周波数がサブキャリア間隔の偶数倍のサブキャリア成分及び奇数倍のサブキャリア成分のうちの一方を抽出する第１のサブキャリア抽出ステップと、
上記第１のサブキャリア抽出ステップの出力を逆フーリエ変換して時間ドメインのシンボル毎の信号を出力する第１の逆フーリエ変換ステップと、
上記第１の逆フーリエ変換ステップから出力される各シンボルの信号の前半部分及び後半部分の電力を比較して比較結果を出力する第１の前後半電力比較ステップと、
上記第１の前後半電力比較ステップの出力をもとに上記第１の逆フーリエ変換ステップから出力されるシンボル毎の信号に含まれるインパルス雑音成分を除去又は抑圧し、雑音成分除去後の信号を出力する第１のインパルス雑音除去ステップと、
上記第１のインパルス雑音除去ステップの出力をフーリエ変換して周波数ドメインの信号を出力する再フーリエ変換ステップと、
上記再フーリエ変換ステップの出力から復調信号を生成する等化ステップと
を備えたことを特徴とする受信方法。
【請求項１２】
上記フーリエ変換ステップの出力のうち、サブキャリア周波数がサブキャリア間隔の偶数倍のサブキャリア成分及び奇数倍のサブキャリア成分のうちの他方を抽出する第２のサブキャリア抽出ステップと、
上記第２のサブキャリア抽出ステップの出力を逆フーリエ変換して時間ドメインのシンボル毎の信号を出力する第２の逆フーリエ変換ステップと、
上記第２の逆フーリエ変換ステップから出力される各シンボルの信号の前半部分及び後半部分の電力を比較して比較結果を出力する第２の前後半電力比較ステップと、
上記第２の前後半電力比較ステップの出力をもとに上記第２の逆フーリエ変換ステップから出力される上記シンボル毎の信号に含まれるインパルス雑音成分を除去又は抑圧し、雑音成分除去後の信号を出力する第２のインパルス雑音除去ステップと、
上記第１のインパルス雑音除去ステップの出力と上記第２のインパルス雑音除去ステップの出力を加算して加算結果を出力する信号成分加算ステップとをさらに備え、
上記再フーリエ変換ステップは、上記信号成分加算ステップの出力を上記再フーリエ変換ステップの入力として、フーリエ変換して周波数ドメインの信号を出力する
ことを特徴とする請求項１１に記載の受信方法。
【請求項１３】
上記第１のインパルス雑音除去ステップは、
上記第１の逆フーリエ変換ステップから出力される上記各シンボルの信号の前半部分を抽出する第１の前半信号抽出ステップと、
上記第１の逆フーリエ変換ステップから出力される上記各シンボルの信号の後半部分を抽出する第１の後半信号抽出ステップと、
上記第１の前半信号抽出ステップの出力、及び上記第１の後半信号抽出ステップの出力のいずれかを上記第１の前後半電力比較ステップの出力に応じて選択し、選択した信号をもとにインパルス雑音成分を除去または抑圧した信号を生成する第１の繰り返し信号生成ステップを含み、
上記第２のインパルス雑音除去ステップは、
上記第２の逆フーリエ変換ステップから出力される上記各シンボルの信号の前半部分を抽出する第２の前半信号抽出ステップと、
上記第２の逆フーリエ変換ステップから出力される上記各シンボルの信号の後半部分を抽出する第２の後半信号抽出ステップと、
上記第２の前半信号抽出ステップの出力、及び上記第２の後半信号抽出ステップの出力のいずれかを上記第２の前後半電力比較ステップの出力に応じて選択し、選択した信号をもとにインパルス雑音成分を除去または抑圧した信号を生成する第２の繰り返し信号生成ステップを含んでいる
ことを特徴とする請求項１２に記載の受信方法。
【請求項１４】
上記第１のサブキャリア抽出ステップは、上記フーリエ変換ステップの出力のうち、サブキャリア周波数がサブキャリア間隔の偶数倍のサブキャリア成分を抽出するものであり、
上記第２のサブキャリア抽出ステップは、上記フーリエ変換ステップの出力のうち、サブキャリア周波数がサブキャリア間隔の奇数倍のサブキャリア成分を抽出するものであり、
上記第１の繰り返し信号生成ステップは、
上記第１の前後半電力比較ステップの出力が、上記第１の逆フーリエ変換ステップから出力される上記各シンボルの信号の前半部分の方が後半部分よりも電力が大きいことを示す場合には、上記第１の後半信号抽出ステップの出力を２回繰り返して出力し、
上記第１の前後半電力比較ステップの出力が、上記第１の逆フーリエ変換ステップから出力される上記各シンボルの信号の後半部分の方が前半部分よりも電力が大きいことを示す場合には、上記第１の前半信号抽出ステップの出力を２回繰り返して出力し、
上記第２の繰り返し信号生成ステップは、
上記第２の前後半電力比較ステップの出力が、上記第２の逆フーリエ変換ステップから出力される上記各シンボルの信号の前半部分の方が後半部分よりも電力が大きいことを示す場合には、上記第２の後半信号抽出ステップの出力の極性を反転した信号を１回目に、これに続いて上記第２の後半信号抽出ステップの出力を２回目に出力し、
上記第２の前後半電力比較ステップの出力が、上記第２の逆フーリエ変換ステップから出力される上記各シンボルの信号の後半部分の方が前半部分よりも電力が大きいことを示す場合には、上記第１の前半信号抽出ステップの出力を１回目に、これに続いて上記第１の前半信号抽出ステップの出力の極性を反転した信号を２回目に出力する
ことを特徴とする請求項１３に記載の受信方法。
【請求項１５】
周波数分割多重信号を受信し、送信データを再生する受信方法であって、
受信信号を所望の周波数に周波数変換することで得られる時間ドメイン信号をフーリエ変換して周波数ドメインの信号を出力するフーリエ変換ステップと、
上記フーリエ変換ステップの出力のうち、サブキャリア周波数がサブキャリア間隔の偶数倍のサブキャリア成分及び奇数倍のサブキャリア成分のうちの一方を抽出する第１のサブキャリア抽出ステップと、
上記第１のサブキャリア抽出ステップの出力を逆フーリエ変換して時間ドメインのシンボル毎の信号を出力する第１の逆フーリエ変換ステップと、
上記第１の逆フーリエ変換ステップから出力される各シンボルの信号の前半部分及び後半部分の電力を比較して比較結果を出力する第１の前後半電力比較ステップと、
上記第１のサブキャリア抽出ステップが、上記フーリエ変換ステップの出力のうち、サブキャリア周波数がサブキャリア間隔の偶数倍のサブキャリア成分を抽出するものである場合は、上記第１の前後半電力比較ステップの出力をもとに上記第１の逆フーリエ変換ステップから出力される上記各シンボルの信号の前半部分と後半部分の差を求めて、半シンボル長の差信号を生成し、上記第１のサブキャリア抽出ステップが、上記フーリエ変換ステップの出力のうち、サブキャリア周波数がサブキャリア間隔の奇数倍のサブキャリア成分を抽出するものである場合は、上記第１の逆フーリエ変換ステップから出力されるシンボル毎の信号の前半部分と後半部分を加算して、半シンボル長の和信号を生成する第１の前後半演算ステップと、
上記第１の前後半演算ステップの出力をもとにインパルス雑音成分を生成するインパルス雑音成分生成ステップと、
上記フーリエ変換ステップの出力を遅延させて、上記インパルス雑音成分生成ステップからの上記インパルス雑音成分の出力と同期させる遅延調整ステップと、
上記遅延調整ステップの出力と上記インパルス雑音成分生成ステップから出力される上記インパルス雑音成分又はこれに基づいて生成された信号から、インパルス雑音成分を除去した時間ドメイン信号を生成するインパルス雑音抑圧ステップと、
上記インパルス雑音抑圧ステップの出力をフーリエ変換して周波数ドメインの信号を出力する再フーリエ変換ステップと、
上記再フーリエ変換ステップの出力から復調信号を生成する等化ステップと
を備えたことを特徴とする受信方法。
【請求項１６】
上記フーリエ変換ステップの出力のうち、サブキャリア周波数がサブキャリア間隔の偶数倍のサブキャリア成分及び奇数倍のサブキャリア成分のうちの他方を抽出する第２のサブキャリア抽出ステップと、
上記第２のサブキャリア抽出ステップの出力を逆フーリエ変換して時間ドメインのシンボル毎の信号を出力する第２の逆フーリエ変換ステップと、
上記第２の逆フーリエ変換ステップから出力される各シンボルの信号の前半部分及び後半部分の電力を比較して比較結果を出力する第２の前後半電力比較ステップと、
上記第２のサブキャリア抽出ステップが、上記フーリエ変換ステップの出力のうち、サブキャリア周波数がサブキャリア間隔の偶数倍のサブキャリア成分を抽出するものである場合は、上記第２の前後半電力比較ステップの出力をもとに上記第２の逆フーリエ変換ステップから出力される上記各シンボルの信号の前半部分と後半部分の差を求めて、半シンボル長の差信号を生成し、上記第２のサブキャリア抽出ステップが、上記フーリエ変換ステップの出力のうち、サブキャリア周波数がサブキャリア間隔の奇数倍のサブキャリア成分を抽出するものである場合は、上記第２の逆フーリエ変換ステップから出力されるシンボル毎の信号の前半部分と後半部分を加算して、半シンボル長の和信号を生成する第２の前後半演算部と、
上記第１の前後半演算ステップの出力と上記第２の前後半演算ステップの出力を加算して加算結果を出力するインパルス雑音成分加算ステップとをさらに備え、
上記インパルス雑音成分生成ステップは、上記第１の前後半電力比較ステップの出力、上記第２の前後半電力比較ステップの出力及び上記インパルス雑音成分加算ステップの出力をもとにインパルス雑音成分を生成する
ことを特徴とする請求項１５に記載の受信方法。
【請求項１７】
上記第１のサブキャリア抽出ステップが、上記フーリエ変換ステップの出力のうち、サブキャリア周波数がサブキャリア間隔の偶数倍のサブキャリア成分を抽出するものである場合は、
上記第１の前後半演算ステップは、
上記第１の前後半電力比較ステップの出力が、上記第１の逆フーリエ変換ステップから出力される各シンボルの信号の前半部分の方が後半部分よりも電力が大きいことを示す場合には、該前半部分から該後半部分を減算して上記差信号を出力し、
そうでない場合は該後半部分から該前半部分を減算して上記差信号を生成する
ことを特徴とする請求項１６に記載の受信方法。
【請求項１８】
上記第１のサブキャリア抽出ステップは、上記フーリエ変換ステップの出力のうち、サブキャリア周波数がサブキャリア間隔の偶数倍のサブキャリア成分を抽出するものであり、
上記第２のサブキャリア抽出ステップは、上記フーリエ変換ステップの出力のうち、サブキャリア周波数がサブキャリア間隔の奇数倍のサブキャリア成分を抽出するものであり、
上記インパルス雑音成分生成ステップは、
上記インパルス雑音成分加算ステップの出力から１シンボル長の信号を生成するものであり、
上記第１の前後半電力比較ステップの出力が、上記第１の逆フーリエ変換ステップから出力される各シンボルの信号の前半部分の方が後半部分よりも電力が大きいとの判定結果を示し、かつ上記第２の前後半電力比較ステップの出力が、上記第２の逆フーリエ変換ステップから出力される各シンボルの信号の前半部分の方が後半部分よりも電力が大きいとの判定結果を示している場合には、前半部分として上記インパルス雑音成分加算ステップの出力を、後半部分として０を出力し、
上記第１の前後半電力比較ステップの出力が、上記第１の逆フーリエ変換ステップから出力される各シンボルの信号の後半部分の方が前半部分よりも電力が大きいとの判定結果を示し、かつ上記第２の前後半電力比較ステップの出力が、上記第２の逆フーリエ変換ステップから出力される各シンボルの信号の後半部分の方が前半部分よりも電力が大きいとの判定結果を示している場合には、前半部分として０を、後半部分として上記インパルス雑音成分加算ステップの出力を出力する
ことを特徴とする請求項１６に記載の受信方法。
【請求項１９】
上記インパルス雑音成分生成ステップは、
上記第１の前後半電力比較ステップの出力が、上記第１の逆フーリエ変換ステップから出力される各シンボルの信号の前半部分の方が後半部分よりも電力が大きいとの判定結果を示し、かつ上記第２の前後半電力比較ステップの出力が、上記第２の逆フーリエ変換ステップから出力される各シンボルの信号の前半部分の方が後半部分よりも電力が小さいとの判定結果を示している場合、又は上記第１の前後半電力比較ステップの出力が、上記第１の逆フーリエ変換ステップから出力される各シンボルの信号の前半部分の方が後半部分よりも電力が小さいとの判定結果を示し、かつ上記第２の前後半電力比較ステップの出力が、上記第２の逆フーリエ変換ステップから出力される各シンボルの信号の前半部分の方が後半部分よりも電力が大きいとの判定結果を示している場合には、
前半部分及び後半部分を共に０とした１シンボル長の信号を出力する
ことを特徴とする請求項１７に記載の受信方法。
【請求項２０】
上記インパルス雑音成分生成ステップの出力及び上記受信方法の実施に用いられる装置の外部から入力される判定閾値を入力とし、上記インパルス雑音成分生成ステップの出力が上記判定閾値よりも小さい場合は前半部分及び後半部分の出力を共に０にした信号を上記インパルス雑音抑圧ステップに出力するインパルス雑音判定ステップをさらに備え、
上記インパルス雑音抑圧ステップは、上記遅延調整ステップの出力と上記インパルス雑音判定ステップの出力から、上記インパルス雑音成分を除去した時間ドメイン信号を生成する
ことを特徴とする請求項１５に記載の受信方法。
【手続補正２】
【補正対象書類名】明細書
【補正対象項目名】００１３
【補正方法】変更
【補正の内容】
【００１３】
本発明の第１の態様の受信装置は、
周波数分割多重信号を受信し、送信データを再生する受信装置であって、
受信信号を所望の周波数に周波数変換することで得られる時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分及び奇数倍のサブキャリア成分のうちの一方を抽出する第１のサブキャリア抽出部と、
上記第１のサブキャリア抽出部の出力を逆フーリエ変換して時間ドメインのシンボル毎の信号を出力する第１の逆フーリエ変換部と、
上記第１の逆フーリエ変換部から出力される各シンボルの信号の前半部分及び後半部分の電力を比較して比較結果を出力する第１の前後半電力比較部と、
上記第１の前後半電力比較部の出力をもとに上記第１の逆フーリエ変換部から出力されるシンボル毎の信号に含まれるインパルス雑音成分を除去又は抑圧し、雑音成分除去後の信号を出力する第１のインパルス雑音除去部と、
上記第１のインパルス雑音除去部の出力をフーリエ変換して周波数ドメインの信号を出力する再フーリエ変換部と、
上記再フーリエ変換部の出力から復調信号を生成する等化部と
を備えたことを特徴とする。
本発明の第２の態様の受信装置は、
周波数分割多重信号を受信し、送信データを再生する受信装置であって、
受信信号を所望の周波数に周波数変換することで得られる時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分及び奇数倍のサブキャリア成分のうちの一方を抽出する第１のサブキャリア抽出部と、
上記第１のサブキャリア抽出部の出力を逆フーリエ変換して時間ドメインのシンボル毎の信号を出力する第１の逆フーリエ変換部と、
上記第１の逆フーリエ変換部から出力される各シンボルの信号の前半部分及び後半部分の電力を比較して比較結果を出力する第１の前後半電力比較部と、
上記第１のサブキャリア抽出部が、上記フーリエ変換部の出力のうち、サブキャリア周波数がサブキャリア間隔の偶数倍のサブキャリア成分を抽出するものである場合は、上記第１の前後半電力比較部の出力をもとに上記第１の逆フーリエ変換部から出力される上記各シンボルの信号の前半部分と後半部分の差を求めて、半シンボル長の差信号を生成し、上記第１のサブキャリア抽出部が、上記フーリエ変換部の出力のうち、サブキャリア周波数がサブキャリア間隔の奇数倍のサブキャリア成分を抽出するものである場合は、上記第１の逆フーリエ変換部から出力されるシンボル毎の信号の前半部分と後半部分を加算して、半シンボル長の和信号を生成する第１の前後半演算部と、
上記第１の前後半演算部の出力をもとにインパルス雑音成分を生成するインパルス雑音成分生成部と、
上記フーリエ変換部の出力を遅延させて、上記インパルス雑音成分生成部からの上記インパルス雑音成分の出力と同期させる遅延調整部と、
上記遅延調整部の出力と上記インパルス雑音成分生成部から出力される上記インパルス雑音成分又はこれに基づいて生成された信号から、インパルス雑音成分を除去した時間ドメイン信号を生成するインパルス雑音抑圧部と、
上記インパルス雑音抑圧部の出力をフーリエ変換して周波数ドメインの信号を出力する再フーリエ変換部と、
上記再フーリエ変換部の出力から復調信号を生成する等化部と
を備えたことを特徴とする。
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
周波数分割多重信号を受信し、送信データを再生する受信装置であって、
受信信号を所望の周波数に周波数変換することで得られる時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分及び奇数倍のサブキャリア成分のうちの一方を抽出する第１のサブキャリア抽出部と、
上記第１のサブキャリア抽出部の出力を逆フーリエ変換して時間ドメインのシンボル毎の信号を出力する第１の逆フーリエ変換部と、
上記第１の逆フーリエ変換部から出力される各シンボルの信号の前半部分及び後半部分の電力を比較して比較結果を出力する第１の前後半電力比較部と、
上記第１の前後半電力比較部の出力をもとに上記第１の逆フーリエ変換部から出力されるシンボル毎の信号に含まれるインパルス雑音成分を除去又は抑圧し、雑音成分除去後の信号を出力する第１のインパルス雑音除去部と、
上記第１のインパルス雑音除去部の出力をフーリエ変換して周波数ドメインの信号を出力する再フーリエ変換部と、
上記再フーリエ変換部の出力から復調信号を生成する等化部と
を備えたことを特徴とする受信装置。
【請求項２】
上記フーリエ変換部の出力のうち、サブキャリア周波数がサブキャリア間隔の偶数倍のサブキャリア成分及び奇数倍のサブキャリア成分のうちの他方を抽出する第２のサブキャリア抽出部と、
上記第２のサブキャリア抽出部の出力を逆フーリエ変換して時間ドメインのシンボル毎の信号を出力する第２の逆フーリエ変換部と、
上記第２の逆フーリエ変換部から出力される各シンボルの信号の前半部分及び後半部分の電力を比較して比較結果を出力する第２の前後半電力比較部と、
上記第２の前後半電力比較部の出力をもとに上記第２の逆フーリエ変換部から出力される上記シンボル毎の信号に含まれるインパルス雑音成分を除去又は抑圧し、雑音成分除去後の信号を出力する第２のインパルス雑音除去部と、
上記第１のインパルス雑音除去部の出力と上記第２のインパルス雑音除去部の出力を加算して加算結果を出力する信号成分加算部とをさらに備え、
上記再フーリエ変換部は、上記信号成分加算部の出力を上記再フーリエ変換部の入力として、フーリエ変換して周波数ドメインの信号を出力する
ことを特徴とする請求項１に記載の受信装置。
【請求項３】
上記第１のインパルス雑音除去部は、
上記第１の逆フーリエ変換部から出力される上記各シンボルの信号の前半部分を抽出する第１の前半信号抽出部と、
上記第１の逆フーリエ変換部から出力される上記各シンボルの信号の後半部分を抽出する第１の後半信号抽出部と、
上記第１の前半信号抽出部の出力、及び上記第１の後半信号抽出部の出力のいずれかを上記第１の前後半電力比較部の出力に応じて選択し、選択した信号をもとにインパルス雑音成分を除去または抑圧した信号を生成する第１の繰り返し信号生成部を含み、
上記第２のインパルス雑音除去部は、
上記第２の逆フーリエ変換部から出力される上記各シンボルの信号の前半部分を抽出する第２の前半信号抽出部と、
上記第２の逆フーリエ変換部から出力される上記各シンボルの信号の後半部分を抽出する第２の後半信号抽出部と、
上記第２の前半信号抽出部の出力、及び上記第２の後半信号抽出部の出力のいずれかを上記第２の前後半電力比較部の出力に応じて選択し、選択した信号をもとにインパルス雑音成分を除去または抑圧した信号を生成する第２の繰り返し信号生成部を含んでいる
ことを特徴とする請求項２に記載の受信装置。
【請求項４】
上記第１のサブキャリア抽出部は、上記フーリエ変換部の出力のうち、サブキャリア周波数がサブキャリア間隔の偶数倍のサブキャリア成分を抽出するものであり、
上記第２のサブキャリア抽出部は、上記フーリエ変換部の出力のうち、サブキャリア周波数がサブキャリア間隔の奇数倍のサブキャリア成分を抽出するものであり、
上記第１の繰り返し信号生成部は、
上記第１の前後半電力比較部の出力が、上記第１の逆フーリエ変換部から出力される上記各シンボルの信号の前半部分の方が後半部分よりも電力が大きいことを示す場合には、上記第１の後半信号抽出部の出力を２回繰り返して出力し、
上記第１の前後半電力比較部の出力が、上記第１の逆フーリエ変換部から出力される上記各シンボルの信号の後半部分の方が前半部分よりも電力が大きいことを示す場合には、上記第１の前半信号抽出部の出力を２回繰り返して出力し、
上記第２の繰り返し信号生成部は、
上記第２の前後半電力比較部の出力が、上記第２の逆フーリエ変換部から出力される上記各シンボルの信号の前半部分の方が後半部分よりも電力が大きいことを示す場合には、上記第２の後半信号抽出部の出力の極性を反転した信号を１回目に、これに続いて上記第２の後半信号抽出部の出力を２回目に出力し、
上記第２の前後半電力比較部の出力が、上記第２の逆フーリエ変換部から出力される上記各シンボルの信号の後半部分の方が前半部分よりも電力が大きいことを示す場合には、上記第１の前半信号抽出部の出力を１回目に、これに続いて上記第１の前半信号抽出部の出力の極性を反転した信号を２回目に出力する
ことを特徴とする請求項３に記載の受信装置。
【請求項５】
周波数分割多重信号を受信し、送信データを再生する受信装置であって、
受信信号を所望の周波数に周波数変換することで得られる時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分及び奇数倍のサブキャリア成分のうちの一方を抽出する第１のサブキャリア抽出部と、
上記第１のサブキャリア抽出部の出力を逆フーリエ変換して時間ドメインのシンボル毎の信号を出力する第１の逆フーリエ変換部と、
上記第１の逆フーリエ変換部から出力される各シンボルの信号の前半部分及び後半部分の電力を比較して比較結果を出力する第１の前後半電力比較部と、
上記第１のサブキャリア抽出部が、上記フーリエ変換部の出力のうち、サブキャリア周波数がサブキャリア間隔の偶数倍のサブキャリア成分を抽出するものである場合は、上記第１の前後半電力比較部の出力をもとに上記第１の逆フーリエ変換部から出力される上記各シンボルの信号の前半部分と後半部分の差を求めて、半シンボル長の差信号を生成し、上記第１のサブキャリア抽出部が、上記フーリエ変換部の出力のうち、サブキャリア周波数がサブキャリア間隔の奇数倍のサブキャリア成分を抽出するものである場合は、上記第１の逆フーリエ変換部から出力されるシンボル毎の信号の前半部分と後半部分を加算して、半シンボル長の和信号を生成する第１の前後半演算部と、
上記第１の前後半演算部の出力をもとにインパルス雑音成分を生成するインパルス雑音成分生成部と、
上記フーリエ変換部の出力を遅延させて、上記インパルス雑音成分生成部からの上記インパルス雑音成分の出力と同期させる遅延調整部と、
上記遅延調整部の出力と上記インパルス雑音成分生成部から出力される上記インパルス雑音成分又はこれに基づいて生成された信号から、インパルス雑音成分を除去した時間ドメイン信号を生成するインパルス雑音抑圧部と、
上記インパルス雑音抑圧部の出力をフーリエ変換して周波数ドメインの信号を出力する再フーリエ変換部と、
上記再フーリエ変換部の出力から復調信号を生成する等化部と
を備えたことを特徴とする受信装置。
【請求項６】
上記フーリエ変換部の出力のうち、サブキャリア周波数がサブキャリア間隔の偶数倍のサブキャリア成分及び奇数倍のサブキャリア成分のうちの他方を抽出する第２のサブキャリア抽出部と、
上記第２のサブキャリア抽出部の出力を逆フーリエ変換して時間ドメインのシンボル毎の信号を出力する第２の逆フーリエ変換部と、
上記第２の逆フーリエ変換部から出力される各シンボルの信号の前半部分及び後半部分の電力を比較して比較結果を出力する第２の前後半電力比較部と、
上記第２のサブキャリア抽出部が、上記フーリエ変換部の出力のうち、サブキャリア周波数がサブキャリア間隔の偶数倍のサブキャリア成分を抽出するものである場合は、上記第２の前後半電力比較部の出力をもとに上記第２の逆フーリエ変換部から出力される上記各シンボルの信号の前半部分と後半部分の差を求めて、半シンボル長の差信号を生成し、上記第２のサブキャリア抽出部が、上記フーリエ変換部の出力のうち、サブキャリア周波数がサブキャリア間隔の奇数倍のサブキャリア成分を抽出するものである場合は、上記第２の逆フーリエ変換部から出力されるシンボル毎の信号の前半部分と後半部分を加算して、半シンボル長の和信号を生成する第２の前後半演算部と、
上記第１の前後半演算部の出力と上記第２の前後半演算部の出力を加算して加算結果を出力するインパルス雑音成分加算部とをさらに備え、
上記インパルス雑音成分生成部は、上記第１の前後半電力比較部の出力、上記第２の前後半電力比較部の出力及び上記インパルス雑音成分加算部の出力をもとにインパルス雑音成分を生成する
ことを特徴とする請求項５に記載の受信装置。
【請求項７】
上記第１のサブキャリア抽出部が、上記フーリエ変換部の出力のうち、サブキャリア周波数がサブキャリア間隔の偶数倍のサブキャリア成分を抽出するものである場合は、
上記第１の前後半演算部は、
上記第１の前後半電力比較部の出力が、上記第１の逆フーリエ変換部から出力される各シンボルの信号の前半部分の方が後半部分よりも電力が大きいことを示す場合には、該前半部分から該後半部分を減算して上記差信号を出力し、
そうでない場合は該後半部分から該前半部分を減算して上記差信号を生成する
ことを特徴とする請求項６に記載の受信装置。
【請求項８】
上記第１のサブキャリア抽出部は、上記フーリエ変換部の出力のうち、サブキャリア周波数がサブキャリア間隔の偶数倍のサブキャリア成分を抽出するものであり、
上記第２のサブキャリア抽出部は、上記フーリエ変換部の出力のうち、サブキャリア周波数がサブキャリア間隔の奇数倍のサブキャリア成分を抽出するものであり、
上記インパルス雑音成分生成部は、
上記インパルス雑音成分加算部の出力から１シンボル長の信号を生成するものであり、
上記第１の前後半電力比較部の出力が、上記第１の逆フーリエ変換部から出力される各シンボルの信号の前半部分の方が後半部分よりも電力が大きいとの判定結果を示し、かつ上記第２の前後半電力比較部の出力が、上記第２の逆フーリエ変換部から出力される各シンボルの信号の前半部分の方が後半部分よりも電力が大きいとの判定結果を示している場合には、前半部分として上記インパルス雑音成分加算部の出力を、後半部分として０を出力し、
上記第１の前後半電力比較部の出力が、上記第１の逆フーリエ変換部から出力される各シンボルの信号の後半部分の方が前半部分よりも電力が大きいとの判定結果を示し、かつ上記第２の前後半電力比較部の出力が、上記第２の逆フーリエ変換部から出力される各シンボルの信号の後半部分の方が前半部分よりも電力が大きいとの判定結果を示している場合には、前半部分として０を、後半部分として上記インパルス雑音成分加算部の出力を出力する
ことを特徴とする請求項６に記載の受信装置。
【請求項９】
上記インパルス雑音成分生成部は、
上記第１の前後半電力比較部の出力が、上記第１の逆フーリエ変換部から出力される各シンボルの信号の前半部分の方が後半部分よりも電力が大きいとの判定結果を示し、かつ上記第２の前後半電力比較部の出力が、上記第２の逆フーリエ変換部から出力される各シンボルの信号の前半部分の方が後半部分よりも電力が小さいとの判定結果を示している場合、又は上記第１の前後半電力比較部の出力が、上記第１の逆フーリエ変換部から出力される各シンボルの信号の前半部分の方が後半部分よりも電力が小さいとの判定結果を示し、かつ上記第２の前後半電力比較部の出力が、上記第２の逆フーリエ変換部から出力される各シンボルの信号の前半部分の方が後半部分よりも電力が大きいとの判定結果を示している場合には、前半部分及び後半部分を共に０とした１シンボル長の信号を出力する
ことを特徴とする請求項７に記載の受信装置。
【請求項１０】
上記インパルス雑音成分生成部の出力及び外部から入力される判定閾値を入力とし、上記インパルス雑音成分生成部の出力が上記判定閾値よりも小さい場合は前半部分及び後半部分の出力を共に０にした信号を上記インパルス雑音抑圧部に出力するインパルス雑音判定部をさらに備え、
上記インパルス雑音抑圧部は、上記遅延調整部の出力と上記インパルス雑音判定部の出力から、上記インパルス雑音成分を除去した時間ドメイン信号を生成する
ことを特徴とする請求項７に記載の受信装置。
【請求項１１】
周波数分割多重信号を受信し、送信データを再生する受信方法であって、
受信信号を所望の周波数に周波数変換することで得られる時間ドメイン信号をフーリエ変換して周波数ドメインの信号を出力するフーリエ変換ステップと、
上記フーリエ変換ステップの出力のうち、サブキャリア周波数がサブキャリア間隔の偶数倍のサブキャリア成分及び奇数倍のサブキャリア成分のうちの一方を抽出する第１のサブキャリア抽出ステップと、
上記第１のサブキャリア抽出ステップの出力を逆フーリエ変換して時間ドメインのシンボル毎の信号を出力する第１の逆フーリエ変換ステップと、
上記第１の逆フーリエ変換ステップから出力される各シンボルの信号の前半部分及び後半部分の電力を比較して比較結果を出力する第１の前後半電力比較ステップと、
上記第１の前後半電力比較ステップの出力をもとに上記第１の逆フーリエ変換ステップから出力されるシンボル毎の信号に含まれるインパルス雑音成分を除去又は抑圧し、雑音成分除去後の信号を出力する第１のインパルス雑音除去ステップと、
上記第１のインパルス雑音除去ステップの出力をフーリエ変換して周波数ドメインの信号を出力する再フーリエ変換ステップと、
上記再フーリエ変換ステップの出力から復調信号を生成する等化ステップと
を備えたことを特徴とする受信方法。
【請求項１２】
上記フーリエ変換ステップの出力のうち、サブキャリア周波数がサブキャリア間隔の偶数倍のサブキャリア成分及び奇数倍のサブキャリア成分のうちの他方を抽出する第２のサブキャリア抽出ステップと、
上記第２のサブキャリア抽出ステップの出力を逆フーリエ変換して時間ドメインのシンボル毎の信号を出力する第２の逆フーリエ変換ステップと、
上記第２の逆フーリエ変換ステップから出力される各シンボルの信号の前半部分及び後半部分の電力を比較して比較結果を出力する第２の前後半電力比較ステップと、
上記第２の前後半電力比較ステップの出力をもとに上記第２の逆フーリエ変換ステップから出力される上記シンボル毎の信号に含まれるインパルス雑音成分を除去又は抑圧し、雑音成分除去後の信号を出力する第２のインパルス雑音除去ステップと、
上記第１のインパルス雑音除去ステップの出力と上記第２のインパルス雑音除去ステップの出力を加算して加算結果を出力する信号成分加算ステップとをさらに備え、
上記再フーリエ変換ステップは、上記信号成分加算ステップの出力を上記再フーリエ変換ステップの入力として、フーリエ変換して周波数ドメインの信号を出力する
ことを特徴とする請求項１１に記載の受信方法。
【請求項１３】
上記第１のインパルス雑音除去ステップは、
上記第１の逆フーリエ変換ステップから出力される上記各シンボルの信号の前半部分を抽出する第１の前半信号抽出ステップと、
上記第１の逆フーリエ変換ステップから出力される上記各シンボルの信号の後半部分を抽出する第１の後半信号抽出ステップと、
上記第１の前半信号抽出ステップの出力、及び上記第１の後半信号抽出ステップの出力のいずれかを上記第１の前後半電力比較ステップの出力に応じて選択し、選択した信号をもとにインパルス雑音成分を除去または抑圧した信号を生成する第１の繰り返し信号生成ステップを含み、
上記第２のインパルス雑音除去ステップは、
上記第２の逆フーリエ変換ステップから出力される上記各シンボルの信号の前半部分を抽出する第２の前半信号抽出ステップと、
上記第２の逆フーリエ変換ステップから出力される上記各シンボルの信号の後半部分を抽出する第２の後半信号抽出ステップと、
上記第２の前半信号抽出ステップの出力、及び上記第２の後半信号抽出ステップの出力のいずれかを上記第２の前後半電力比較ステップの出力に応じて選択し、選択した信号をもとにインパルス雑音成分を除去または抑圧した信号を生成する第２の繰り返し信号生成ステップを含んでいる
ことを特徴とする請求項１２に記載の受信方法。
【請求項１４】
上記第１のサブキャリア抽出ステップは、上記フーリエ変換ステップの出力のうち、サブキャリア周波数がサブキャリア間隔の偶数倍のサブキャリア成分を抽出するものであり、
上記第２のサブキャリア抽出ステップは、上記フーリエ変換ステップの出力のうち、サブキャリア周波数がサブキャリア間隔の奇数倍のサブキャリア成分を抽出するものであり、
上記第１の繰り返し信号生成ステップは、
上記第１の前後半電力比較ステップの出力が、上記第１の逆フーリエ変換ステップから出力される上記各シンボルの信号の前半部分の方が後半部分よりも電力が大きいことを示す場合には、上記第１の後半信号抽出ステップの出力を２回繰り返して出力し、
上記第１の前後半電力比較ステップの出力が、上記第１の逆フーリエ変換ステップから出力される上記各シンボルの信号の後半部分の方が前半部分よりも電力が大きいことを示す場合には、上記第１の前半信号抽出ステップの出力を２回繰り返して出力し、
上記第２の繰り返し信号生成ステップは、
上記第２の前後半電力比較ステップの出力が、上記第２の逆フーリエ変換ステップから出力される上記各シンボルの信号の前半部分の方が後半部分よりも電力が大きいことを示す場合には、上記第２の後半信号抽出ステップの出力の極性を反転した信号を１回目に、これに続いて上記第２の後半信号抽出ステップの出力を２回目に出力し、
上記第２の前後半電力比較ステップの出力が、上記第２の逆フーリエ変換ステップから出力される上記各シンボルの信号の後半部分の方が前半部分よりも電力が大きいことを示す場合には、上記第１の前半信号抽出ステップの出力を１回目に、これに続いて上記第１の前半信号抽出ステップの出力の極性を反転した信号を２回目に出力する
ことを特徴とする請求項１３に記載の受信方法。
【請求項１５】
周波数分割多重信号を受信し、送信データを再生する受信方法であって、
受信信号を所望の周波数に周波数変換することで得られる時間ドメイン信号をフーリエ変換して周波数ドメインの信号を出力するフーリエ変換ステップと、
上記フーリエ変換ステップの出力のうち、サブキャリア周波数がサブキャリア間隔の偶数倍のサブキャリア成分及び奇数倍のサブキャリア成分のうちの一方を抽出する第１のサブキャリア抽出ステップと、
上記第１のサブキャリア抽出ステップの出力を逆フーリエ変換して時間ドメインのシンボル毎の信号を出力する第１の逆フーリエ変換ステップと、
上記第１の逆フーリエ変換ステップから出力される各シンボルの信号の前半部分及び後半部分の電力を比較して比較結果を出力する第１の前後半電力比較ステップと、
上記第１のサブキャリア抽出ステップが、上記フーリエ変換ステップの出力のうち、サブキャリア周波数がサブキャリア間隔の偶数倍のサブキャリア成分を抽出するものである場合は、上記第１の前後半電力比較ステップの出力をもとに上記第１の逆フーリエ変換ステップから出力される上記各シンボルの信号の前半部分と後半部分の差を求めて、半シンボル長の差信号を生成し、上記第１のサブキャリア抽出ステップが、上記フーリエ変換ステップの出力のうち、サブキャリア周波数がサブキャリア間隔の奇数倍のサブキャリア成分を抽出するものである場合は、上記第１の逆フーリエ変換ステップから出力されるシンボル毎の信号の前半部分と後半部分を加算して、半シンボル長の和信号を生成する第１の前後半演算ステップと、
上記第１の前後半演算ステップの出力をもとにインパルス雑音成分を生成するインパルス雑音成分生成ステップと、
上記フーリエ変換ステップの出力を遅延させて、上記インパルス雑音成分生成ステップからの上記インパルス雑音成分の出力と同期させる遅延調整ステップと、
上記遅延調整ステップの出力と上記インパルス雑音成分生成ステップから出力される上記インパルス雑音成分又はこれに基づいて生成された信号から、インパルス雑音成分を除去した時間ドメイン信号を生成するインパルス雑音抑圧ステップと、
上記インパルス雑音抑圧ステップの出力をフーリエ変換して周波数ドメインの信号を出力する再フーリエ変換ステップと、
上記再フーリエ変換ステップの出力から復調信号を生成する等化ステップと
を備えたことを特徴とする受信方法。
【請求項１６】
上記フーリエ変換ステップの出力のうち、サブキャリア周波数がサブキャリア間隔の偶数倍のサブキャリア成分及び奇数倍のサブキャリア成分のうちの他方を抽出する第２のサブキャリア抽出ステップと、
上記第２のサブキャリア抽出ステップの出力を逆フーリエ変換して時間ドメインのシンボル毎の信号を出力する第２の逆フーリエ変換ステップと、
上記第２の逆フーリエ変換ステップから出力される各シンボルの信号の前半部分及び後半部分の電力を比較して比較結果を出力する第２の前後半電力比較ステップと、
上記第２のサブキャリア抽出ステップが、上記フーリエ変換ステップの出力のうち、サブキャリア周波数がサブキャリア間隔の偶数倍のサブキャリア成分を抽出するものである場合は、上記第２の前後半電力比較ステップの出力をもとに上記第２の逆フーリエ変換ステップから出力される上記各シンボルの信号の前半部分と後半部分の差を求めて、半シンボル長の差信号を生成し、上記第２のサブキャリア抽出ステップが、上記フーリエ変換ステップの出力のうち、サブキャリア周波数がサブキャリア間隔の奇数倍のサブキャリア成分を抽出するものである場合は、上記第２の逆フーリエ変換ステップから出力されるシンボル毎の信号の前半部分と後半部分を加算して、半シンボル長の和信号を生成する第２の前後半演算ステップと、
上記第１の前後半演算ステップの出力と上記第２の前後半演算ステップの出力を加算して加算結果を出力するインパルス雑音成分加算ステップとをさらに備え、
上記インパルス雑音成分生成ステップは、上記第１の前後半電力比較ステップの出力、上記第２の前後半電力比較ステップの出力及び上記インパルス雑音成分加算ステップの出力をもとにインパルス雑音成分を生成する
ことを特徴とする請求項１５に記載の受信方法。
【請求項１７】
上記第１のサブキャリア抽出ステップが、上記フーリエ変換ステップの出力のうち、サブキャリア周波数がサブキャリア間隔の偶数倍のサブキャリア成分を抽出するものである場合は、
上記第１の前後半演算ステップは、
上記第１の前後半電力比較ステップの出力が、上記第１の逆フーリエ変換ステップから出力される各シンボルの信号の前半部分の方が後半部分よりも電力が大きいことを示す場合には、該前半部分から該後半部分を減算して上記差信号を出力し、
そうでない場合は該後半部分から該前半部分を減算して上記差信号を生成する
ことを特徴とする請求項１６に記載の受信方法。
【請求項１８】
上記第１のサブキャリア抽出ステップは、上記フーリエ変換ステップの出力のうち、サブキャリア周波数がサブキャリア間隔の偶数倍のサブキャリア成分を抽出するものであり、
上記第２のサブキャリア抽出ステップは、上記フーリエ変換ステップの出力のうち、サブキャリア周波数がサブキャリア間隔の奇数倍のサブキャリア成分を抽出するものであり、
上記インパルス雑音成分生成ステップは、
上記インパルス雑音成分加算ステップの出力から１シンボル長の信号を生成するものであり、
上記第１の前後半電力比較ステップの出力が、上記第１の逆フーリエ変換ステップから出力される各シンボルの信号の前半部分の方が後半部分よりも電力が大きいとの判定結果を示し、かつ上記第２の前後半電力比較ステップの出力が、上記第２の逆フーリエ変換ステップから出力される各シンボルの信号の前半部分の方が後半部分よりも電力が大きいとの判定結果を示している場合には、前半部分として上記インパルス雑音成分加算ステップの出力を、後半部分として０を出力し、
上記第１の前後半電力比較ステップの出力が、上記第１の逆フーリエ変換ステップから出力される各シンボルの信号の後半部分の方が前半部分よりも電力が大きいとの判定結果を示し、かつ上記第２の前後半電力比較ステップの出力が、上記第２の逆フーリエ変換ステップから出力される各シンボルの信号の後半部分の方が前半部分よりも電力が大きいとの判定結果を示している場合には、前半部分として０を、後半部分として上記インパルス雑音成分加算ステップの出力を出力する
ことを特徴とする請求項１６に記載の受信方法。
【請求項１９】
上記インパルス雑音成分生成ステップは、
上記第１の前後半電力比較ステップの出力が、上記第１の逆フーリエ変換ステップから出力される各シンボルの信号の前半部分の方が後半部分よりも電力が大きいとの判定結果を示し、かつ上記第２の前後半電力比較ステップの出力が、上記第２の逆フーリエ変換ステップから出力される各シンボルの信号の前半部分の方が後半部分よりも電力が小さいとの判定結果を示している場合、又は上記第１の前後半電力比較ステップの出力が、上記第１の逆フーリエ変換ステップから出力される各シンボルの信号の前半部分の方が後半部分よりも電力が小さいとの判定結果を示し、かつ上記第２の前後半電力比較ステップの出力が、上記第２の逆フーリエ変換ステップから出力される各シンボルの信号の前半部分の方が後半部分よりも電力が大きいとの判定結果を示している場合には、
前半部分及び後半部分を共に０とした１シンボル長の信号を出力する
ことを特徴とする請求項１７に記載の受信方法。
【請求項２０】
上記インパルス雑音成分生成ステップの出力及び上記受信方法の実施に用いられる装置の外部から入力される判定閾値を入力とし、上記インパルス雑音成分生成ステップの出力が上記判定閾値よりも小さい場合は前半部分及び後半部分の出力を共に０にした信号を上記インパルス雑音抑圧ステップに出力するインパルス雑音判定ステップをさらに備え、
上記インパルス雑音抑圧ステップは、上記遅延調整ステップの出力と上記インパルス雑音判定ステップの出力から、上記インパルス雑音成分を除去した時間ドメイン信号を生成する
ことを特徴とする請求項１５に記載の受信方法。
【国際調査報告】
2013080578.tif 000014
2013080578.tif 000015
2013080578.tif 000016